(57)【要約】【課題】  靴内部に送風する送風空気を冷却手段および加熱手段の少なくとも一方を用いて冷却、加熱するようにして、靴内部空間を空調する靴がない。【解決手段】  空気流通路１０１内の空気を、靴内部空間１１ｄに送風する送風機２７と、送風機２７により送風される空気に熱を伝達するペルチェ素子３４、ヒータ３９とを備え、温度センサ３０により検出される靴内部温度Ｔ１が設定温度ＴＳを維持するように、制御手段２９ａが送風機２７、ペルチェ素子３４、ヒータ３９の作動、停止を制御する。【選択図】  図１
2007300959.tif 000002
【特許請求の範囲】
【請求項１】
靴内部空間（１１ｄ）に一端が開口し、他端が前記靴内部空間（１１ｄ）および外気のどちらか一方に開口して空気が流通する空気流通路（１０１、１０３）が形成されており、
前記空気流通路（１０１、１０３）内の空気を、前記靴内部空間（１１ｄ）に送風する送風手段（２７）と、
前記送風手段（２７）により送風される空気に熱を伝達する熱伝達手段とを備え、
さらに、前記靴内部空間（１１ｄ）の靴内部温度（Ｔ１）を検出する温度検出手段（３０）と、
前記温度検出手段（３０）により検出される前記靴内部温度（Ｔ１）と、所定の温度（ＴＳ）との比較結果に基づいて前記送風手段（２７）、前記熱伝達手段の作動および停止のどちらか一方を行う制御手段（２９ａ）と、
前記送風手段（２７）、前記熱伝達手段、前記制御手段（２９ａ）に電気を供給して作動させる電源装置（２５）とを備えており、
前記制御手段（２９ａ）は、前記靴内部温度（Ｔ１）が前記所定の温度（ＴＳ）を維持するように、前記送風手段（２７）、前記熱伝達手段の作動、停止を制御する機能を有していることを特徴とする空調靴。
【請求項２】
前記熱伝達手段が、前記送風手段（２７）により送風される空気を冷却する空気冷却手段（３４）と、前記送風手段（２７）により送風される空気を加熱する空気加熱手段（３８）の両方で構成されており、
少なくとも、前記靴内部温度（Ｔ１）＞前記所定の温度（ＴＳ）の場合には、前記空気冷却手段（３４）を作動させて前記空気流通路（１０１、１０３）内の空気を冷却するとともに、前記冷却された空気を、前記送風手段（２７）を作動させて前記靴内部空間（１１ｄ）に送風するように制御し、
少なくとも、前記靴内部温度（Ｔ１）＜前記所定の温度（ＴＳ）の場合には、前記空気加熱手段（３８）を作動させて前記空気流通路（１０１、１０３）内の空気を加熱するとともに、前記加熱された空気を、前記送風手段（２７）を作動させて前記靴内部空間（１１ｄ）に送風するように制御する機能を有していることを特徴とする請求項１に記載の空調靴。
【請求項３】
前記送風手段（２７）を作動させた際の空気流れ上流側に前記空気冷却手段（３４）を、前記空気冷却手段（３４）の下流側に前記空気加熱手段（３８）を配置し、
前記送風手段（２７）を作動させて発生した前記空気流れ上流側の空気を、最初に前記空気冷却手段（３４）を作動させて冷却して除湿し、
次に、前記冷却して除湿された空気を、前記空気加熱手段（３８）を作動させて、適温に再加熱し、前記靴内部空間（１１ｄ）に送風することを特徴とする請求項２に記載の空調靴。
【請求項４】
前記熱伝達手段が、前記送風手段（２７）により送風される空気を冷却する空気冷却手段（３４、３５）で構成されており、
少なくとも、前記靴内部温度（Ｔ１）＞前記所定の温度（ＴＳ）の場合には、前記空気冷却手段（３４、３５）を作動させて前記空気流通路（１０１、１０３）内の空気を冷却するとともに、前記冷却された空気を、前記送風手段（２７）を作動させて前記靴内部空間（１１ｄ）に送風するように制御し、
少なくとも、前記靴内部温度（Ｔ１）＜前記所定の温度（ＴＳ）の場合には、前記空気冷却手段（３４、３５）および前記送風手段（２７）のうち、少なくとも前記空気冷却手段（３４、３５）を停止するように制御する機能を有していることを特徴とする請求項１に記載の空調靴。
【請求項５】
前記熱伝達手段が、前記送風手段（２７）により送風される空気を加熱する空気加熱手段（３８、３９）で構成されており、
少なくとも、前記靴内部温度（Ｔ１）＜前記所定の温度（ＴＳ）の場合には、前記空気加熱手段（３８、３９）を作動させて前記空気流通路（１０１、１０３）内の空気を加熱するとともに、前記加熱された空気を、前記送風手段（２７）を作動させて前記靴内部空間（１１ｄ）に送風するように制御し、
少なくとも、前記靴内部温度（Ｔ１）＞前記所定の温度（ＴＳ）の場合には、前記空気加熱手段（３８、３９）および前記送風手段（２７）のうち、少なくとも前記空気加熱手段（３８、３９）を停止するように制御する機能を有していることを特徴とする請求項１に記載の空調靴。
【請求項６】
前記外気の外気温度（Ｔ２）を検出する外気温度検出手段（４４）を備えており、
前記制御手段（２９ａ）は、前記靴内部温度（Ｔ１）、前記所定の温度（ＴＳ）、前記外気温度（Ｔ２）の比較結果に基づいて、前記靴内部温度（Ｔ１）が前記所定の温度（ＴＳ）を維持するように、前記送風手段（２７）、前記熱伝達手段の作動、停止を制御する機能を有していることを特徴とする請求項２乃至請求項５のいずれか１つに記載の空調靴。
【請求項７】
前記制御手段（２９ａ）は、前記靴内部温度（Ｔ１）＞前記所定の温度（ＴＳ）＞前記外気温度（Ｔ２）の場合、および前記靴内部温度（Ｔ１）＜前記所定の温度（ＴＳ）＜前記外気温度（Ｔ２）の場合には、前記熱伝達手段、前記送風手段（２７）のうち、少なくとも前記熱伝達手段を停止するように制御する機能を有していることを特徴とする請求項６に記載の空調靴。
【請求項８】
靴内部空間（１１ｄ）に一端が開口し、他端が前記靴内部空間（１１ｄ）および外気のどちらか一方に開口して空気が流通する空気流通路（１０１、１０３）とが形成されており、
前記空気流通路（１０１、１０３）内の空気を、前記靴内部空間（１１ｄ）に送風する送風手段（２７）と、
前記送風手段（２７）により送風される空気に熱を伝達する熱伝達手段と、
前記送風手段（２７）、前記熱伝達手段に電気を供給して作動させる電源装置（２５）と、
前記電源装置（２５）と、前記送風手段（２７）と、前記熱伝達手段とからなる回路（２１０）を、前記靴内部空間（１１ｄ）の靴内部温度（Ｔ１）に基いて自動的に通電および遮断のどちらか一方を行う開閉スイッチ（４５）とを備えており、
前記開閉スイッチ（４５）は、前記靴内部温度（Ｔ１）が所定の温度（ＴＳ）を維持するように、前記送風手段（２７）、前記熱伝達手段の作動、停止を制御する機能を有していることを特徴とする空調靴。
【請求項９】
前記熱伝達手段が、前記送風手段（２７）により送風される空気を冷却する空気冷却手段（３４）と、
前記送風手段（２７）により送風される空気を加熱する空気加熱手段（３８）の両方とで構成されるとともに、
前記回路（２１０）が、前記開閉スイッチ（４５）、前記空気冷却手段（３４）、前記電源装置（２５）、前記送風手段（２７）からなる冷却回路（ＣＣ）と、
前記開閉スイッチ（４５）、前記空気加熱手段（３８）、前記電源装置（２５）、前記送風手段（２７）からなる加熱回路（ＣＨ）とから構成されており、
前記開閉スイッチ（４５）は、少なくとも、前記靴内部空間（１１ｄ）の前記靴内部温度（Ｔ１）＞前記所定の温度（ＴＳ）の場合には、前記送風手段（２７）、前記空気冷却手段（３４）が作動するように前記冷却回路（ＣＣ）を通電させ、
少なくとも、前記靴内部温度（Ｔ１）＜前記所定の温度（ＴＳ）の場合には、前記送風手段（２７）、前記空気加熱手段（３８）が作動するように前記加熱回路（ＣＨ）を通電させることを特徴とする請求項８に記載の空調靴。
【請求項１０】
前記熱伝達手段が、前記送風手段（２７）により送風される空気を冷却する空気冷却手段（３４、３５）で構成されるとともに、
前記回路（２１０）が、前記開閉スイッチ（４５）、前記空気冷却手段（３４、３５）、前記電源装置（２５）、前記送風手段（２７）からなる冷却回路（ＣＣ）で構成されており、
前記開閉スイッチ（４５）は、少なくとも、前記靴内部空間（１１ｄ）の前記靴内部温度（Ｔ１）＞前記所定の温度（ＴＳ）の場合には、前記送風手段（２７）、前記空気冷却手段（３４、３５）が作動するように前記冷却回路（ＣＣ）を通電させ、
少なくとも、前記靴内部温度（Ｔ１）＜前記所定の温度（ＴＳ）の場合には、前記送風手段（２７）、前記空気冷却手段（３４、３５）のうち、少なくとも前記空気冷却手段（３４、３５）が停止するように前記冷却回路（ＣＣ）を遮断させることを特徴とする請求項８に記載の空調靴。
【請求項１１】
前記熱伝達手段が、前記送風手段（２７）により送風される空気を加熱する空気加熱手段（３８、３９）で構成されるとともに、
前記回路（２１０）が、前記開閉スイッチ（４５）、前記空気加熱手段（３８、３９）、前記電源装置（２５）、前記送風手段（２７）からなる加熱回路（ＣＨ）で構成されており、
前記開閉スイッチ（４５）は、少なくとも、前記靴内部空間（１１ｄ）の前記靴内部温度（Ｔ１）＜前記所定の温度（ＴＳ）の場合には、前記送風手段（２７）、前記空気加熱手段（３８、３９）が作動するように前記加熱回路（ＣＨ）を通電させ、
少なくとも、前記靴内部温度（Ｔ１）＞前記所定の温度（ＴＳ）の場合には、前記送風手段（２７）、前記空気加熱手段（３８、３９）のうち、少なくとも前記空気加熱手段（３８、３９）を停止するように前記加熱回路（ＣＨ）を遮断させことを特徴とする請求項８に記載の空調靴。
【請求項１２】
前記所定の温度（ＴＳ）を手動入力する入力手段（ＳＷ４、ＳＷ５）と、
前記入力手段（ＳＷ４、ＳＷ５）によって入力された前記所定の温度（ＴＳ）を表示する所定温度表示手段（ＤＰ１）と、
前記靴内部温度（Ｔ１）を表示する靴内部温度表示手段（ＤＰ２）とを備えたことを特徴とする請求項１乃至請求項７のいずれか１つに記載の空調靴。
【請求項１３】
前記靴内部空間（１１ｄ）を形成する靴内側表面（１０２）に、足（２００）が挿入された際に、前記足（２００）に隙間（１６ｈ、１８ｄ）を有して空気を配風する配風溝（１６ｅ、１８ｃ）が形成されており、
前記配風溝（１６ｅ、１８ｃ）に、前記空気流通路（１０１）の前記一端側が開口するとともに、前記空気流通路（１０１）の他端側が外気に開口しており、
前記配風溝（１６ｅ、１８ｃ）は外気に開口するように形成されている場合、および外気に開口しないように形成されている場合のどちらか１つであることを特徴とする請求項１乃至請求項１２のいずれか１つに記載の空調靴。
【請求項１４】
前記空気流通路（１０１）とは別に、一端側が前記配風溝（１６ｅ、１８ｃ）に開口し、他端側が前記外気に開口する第２の空気流通路（１０４）が形成されていることを特徴とする請求項１３に記載の空調靴。
【請求項１５】
前記靴内部空間（１１ｄ）を形成する靴内側表面（１０２）に、足（２００）が挿入された際に、前記足（２００）に隙間（１６ｈ、１８ｄ）を有して空気を配風する配風溝（１６ｅ、１８ｃ）が形成されており、
前記配風溝（１６ｅ、１８ｃ）に前記空気流通路（１０３）の前記一端側および前記他端側が開口しており、
前記配風溝（１６ｅ、１８ｃ）は外気に開口するように形成されている場合、および外気に開口しないように形成されている場合のどちらか１つであることを特徴とする請求項１乃至請求項１２のいずれか１つに記載の空調靴。
【請求項１６】
前記熱伝達手段を停止させた状態で、前記空気流通路（１０１、１０３）のうち、前記一端側および前記他端側のどちらか一方から他方に、前記空気流通路（１０１、１０３）の空気を送風するように前記送風手段（２７）を作動させることを特徴とする請求項１乃至請求項１５のいずれか１つに記載の空調靴。
【請求項１７】
前記熱伝達手段がペルチェ素子のみで構成されており、
前記ペルチェ素子の排熱手段（２２ｆ）を備えていることを特徴とする請求項１乃至請求項１６のいずれか１つに記載の空調靴。
【請求項１８】
前記空気流通路（１０１、１０３、１０４、１０５）を遮蔽する遮蔽手段を備えていることを特徴とする請求項１乃至請求項１７のいずれか１つに記載の空調靴。
【発明の詳細な説明】
【技術分野】
【０００１】
本発明は、空調を行う靴に関するもので、靴の温度制御に適用して有効である。
【背景技術】
【０００２】
従来の靴（例えば革靴、スニーカー、長靴等）は通気性、換気性が悪く、特に夏場は足の発汗作用により靴内部の温度、温度が上昇して不快に感じることがあった。また、寒冷地では、冬に靴が冷却されて足先が冷たくなって足に霜焼けができることがあった。
【０００３】
そこで、靴内部の高温度、高温度対策としては靴内の空気を換気するものや靴内温度を冷却するように、靴内の低温度対策としては靴内温度を加熱するようにしたものが出願されている。
【０００４】
上記背景技術をより具体的に説明すると、冷却手段、加熱手段の両方を用いるものとしては、靴の適宜部位にペルチェ素子を設け、図示せざるスイッチをＯＮにして靴内を冷却し、さらに、ペルチェ素子に対する電源からの電流の流れを正逆反転させて靴内を加熱するものが特許登録されており、伝熱手段としてポンプやモータを用いたファンの駆動によって生ずる空気の動きを利用している（例えば、特許文献１参照。）。
【０００５】
また、靴外装部の内面に配置され、足部を冷却、加熱する複数のペルチェ素子と、このペルチェ素子近傍に、それぞれ設けられた温度センサと、靴の底部に設けられ、歩行に伴う機械力で発電する発電機と、発電機で発電された電気を得る電源回路と、電源回路の出力によって駆動するマイコンとを備え、上記温度センサの検出値と設定値とをマイコンで比較してペルチェ素子を冷却または加熱して靴内の温度を調整しようとするものが出願されている（例えば、特許文献２参照。）。
【０００６】
また、冷却手段、加熱手段のうち、冷却手段のみ用いるものとして、冷却パッドの内部に冷媒が循環する経路を設け、上記経路に冷媒、例えば冷水を循環させるものが出願されている（例えば、特許文献３参照。）。
【０００７】
また、冷却手段、加熱手段のうち、加熱手段のみ用いるものとして、空気圧送手段と、上記空気圧送手段を駆動する駆動手段と、上記駆動手段の動力源となる電源と、空気圧送手段により圧送する空気を加熱する熱発生手段とを設けたケースと、一端が靴内部側に開口するとともに、他端が側部に開口する空気流路を有する中敷とを備え、上記空気圧送手段と中敷側部に開口する空気流路とを連結し、熱発生手段により加熱された空気を靴内部に送風するものが出願されている（例えば、特許文献４参照）。
【０００８】
【特許文献１】特許３０１７６１８号
【特許文献２】特開平１０−２２９９０２号公報
【特許文献３】特開２００２−２０９６０２号公報
【特許文献４】特開平７−１９４４０７号公報
【発明の開示】
【発明が解決しようとする課題】
【０００９】
しかし、上記特許文献１は、伝熱手段としてポンプやモータを用いたファンの駆動によって生ずる空気の動きを利用する方法が例示されているが、ライナーに、靴内部空間に送風する空気穴が設けられておらず、靴内部空間を空調することができない。
【００１０】
また、ペルチェ素子に対する電源からの電流の流れを正逆反転させる手段が明示されていない。上記正逆反転させる手段が図示せざるスイッチの場合には、靴内の温度に応じて操作者が自分でスイッチを切り替えなければならない。上記構成によれば、靴内部の温度を検出する手段、靴内の温度を自動的に、所定の温度になるように制御する手段がないので、靴内の温度を自動的に、かつ所定の温度に維持することが困難である。
【００１１】
なお、上記特許文献１は、ペルチェ素子を空気の冷却のみ、あるいは加熱のみで使用するように、制御できるが、上記と同様の理由により、靴内の温度を自動的に、かつ所定の温度に維持することができない。
【００１２】
また、特許文献２は、温度センサの検出値と設定値とをマイコンで比較してペルチェ素子を冷却または加熱して靴内の温度を調整するものであるが、特許文献１と同様に、空調ができない。しかも、ペルチェ素子の排熱手段がないので、次第にペルチェ素子の冷却能力、加熱能力が低下する。その結果、靴内の温度を自動的に、かつ所定の温度に維持することができない。
【００１３】
なお、上記特許文献２のように、空調する構造ではなく、ペルチェ素子を靴外装部の内面、靴底等の複数箇所に設け、靴本体を熱伝達手段にして、足部または靴内部空間を冷却、加熱する構造では、ペルチェ素子の保護手段と排熱手段が必要となり、靴全体が大きくなる傾向がある。
【００１４】
また、特許文献３も、上記特許文献２と同様に、空調ができない。しかも、冷却パッドの内部を循環する冷水の温度を自動的に、所定の温度になるように制御する手段がないので、靴内の温度を自動的に、かつ所定の温度に維持することが困難であった。
【００１５】
また、特許文献４では、圧送される空気の温度を自動的に、所定の温度になるように制御する手段がないので、靴内の温度を自動的に、かつ所定の温度に維持することが困難であった。
【００１６】
なお、特許文献１〜特許文献４は、靴内部に送風する送風空気を冷却する冷却手段および送風空気を加熱する加熱手段の少なくとも一方を備えているが、効率よく靴内の換気をすることができず、除湿することもできない。
【００１７】
本発明は上記点に鑑み、靴内部に送風する送風空気を冷却手段および加熱手段の少なくとも一方を用いて冷却、加熱することで、靴内の温度を所定の温度に自動制御可能な空調靴を提供することを目的とする。
【００１８】
また、本発明は上記点に鑑み、靴内部に送風する送風空気を冷却する冷却手段および送風空気を加熱する加熱手段の少なくとも一方を備えた靴において、効率よく換気を行うように制御できる空調靴を提供することを他の目的とする。
【００１９】
さらに、靴内部に送風する送風空気を冷却する冷却手段および送風空気を加熱する加熱手段の両方を用いて、靴内部空間を除湿し、適温に制御された空気を送風できる空調靴を提供することを他の目的とする。
【課題を解決するための手段】
【００２０】
本発明は、上記目的を達成するために、請求項１に記載の発明では、靴内部空間（１１ｄ）に一端が開口し、他端が靴内部空間（１１ｄ）および外気のどちらか一方に開口して空気が流通する空気流通路（１０１、１０３）が形成されており、
空気流通路（１０１、１０３）内の空気を、靴内部空間（１１ｄ）に送風する送風手段（２７）と、
送風手段（２７）により送風される空気に熱を伝達する熱伝達手段とを備え、
さらに、靴内部空間（１１ｄ）の靴内部温度（Ｔ１）を検出する温度検出手段（３０）と、
温度検出手段（３０）により検出される靴内部温度（Ｔ１）と、所定の温度（ＴＳ）との比較結果に基づいて送風手段（２７）、熱伝達手段の作動および停止のどちらか一方を行う制御手段（２９ａ）と、
送風手段（２７）、熱伝達手段、制御手段（２９ａ）に電気を供給して作動させる電源装置（２５）とを備えており、
制御手段（２９ａ）は、靴内部温度（Ｔ１）が所定の温度（ＴＳ）を維持するように、送風手段（２７）、熱伝達手段の作動、停止を制御する機能を有していることを特徴とする。
【００２１】
これによれば、空気流通路（１０１、１０３）内の空気が、熱伝達手段によって熱が伝達され、送風手段（２７）によって靴内部空間（１１ｄ）に送風される。その際、制御手段（２９ａ）は、温度検出手段（３０）により検出される靴内部温度（Ｔ１）が所定の温度（ＴＳ）を維持するように、送風手段（２７）、熱伝達手段の作動、停止を制御する。上記送風手段（２７）、熱伝達手段、制御手段（２９ａ）は、電源装置（２５）から電気が供給されて作動する。
【００２２】
その結果、靴内部空間（１１ｄ）の靴内部温度（Ｔ１）が所定の温度（ＴＳ）を維持するように、自動制御することができる。また、送風手段（２７）、熱伝達手段、制御手段（２９ａ）は、電源装置（２５）から電気が供給されて作動するので、歩行時でなくとも、上記のように自動制御することができる。
【００２３】
請求項２に記載の発明では、請求項１において、熱伝達手段が、送風手段（２７）により送風される空気を冷却する空気冷却手段（３４）と、送風手段（２７）により送風される空気を加熱する空気加熱手段（３８）の両方で構成されており、
少なくとも、靴内部温度（Ｔ１）＞所定の温度（ＴＳ）の場合には、空気冷却手段（３４）を作動させて空気流通路（１０１、１０３）内の空気を冷却するとともに、冷却された空気を、送風手段（２７）を作動させて靴内部空間（１１ｄ）に送風するように制御し、
少なくとも、靴内部温度（Ｔ１）＜所定の温度（ＴＳ）の場合には、空気加熱手段（３８）を作動させて空気流通路（１０１、１０３）内の空気を加熱するとともに、加熱された空気を、送風手段（２７）を作動させて靴内部空間（１１ｄ）に送風するように制御する機能を有していることを特徴とする。
【００２４】
これによれば、靴内部温度（Ｔ１）＞所定の温度（ＴＳ）の場合には、空気流通路（１０１、１０３）内の空気を冷却して靴内部空間（１１ｄ）に送風することができ、靴内部温度（Ｔ１）＜所定の温度（ＴＳ）の場合には、空気流通路（１０１、１０３）内の空気を加熱して靴内部空間（１１ｄ）に送風することができる。
【００２５】
その結果、靴内部空間（１１ｄ）の靴内部温度（Ｔ１）が所定の温度（ＴＳ）を維持するように、自動制御することができる。
【００２６】
請求項３に記載の発明では、請求項２において、送風手段（２７）を作動させた際の空気流れ上流側に空気冷却手段（３４）を、空気冷却手段（３４）の下流側に空気加熱手段（３８）を配置し、
送風手段（２７）を作動させて発生した空気流れ上流側の空気を、最初に空気冷却手段（３４）を作動させて冷却して除湿し、
次に、冷却して除湿された空気を、空気加熱手段（３８）を作動させて、適温に再加熱し、靴内部空間（１１ｄ）に送風することを特徴とする。
【００２７】
これによれば、除湿され、かつ適温に制御された空気が靴内部空間（１１ｄ）に送風されるので、爽快感を得ることができる。
【００２８】
請求項４に記載の発明では、請求項１において、熱伝達手段が、送風手段（２７）により送風される空気を冷却する空気冷却手段（３４、３５）で構成されており、
少なくとも、靴内部温度（Ｔ１）＞所定の温度（ＴＳ）の場合には、空気冷却手段（３４、３５）を作動させて空気流通路（１０１、１０３）内の空気を冷却するとともに、冷却された空気を、送風手段（２７）を作動させて靴内部空間（１１ｄ）に送風するように制御し、
少なくとも、靴内部温度（Ｔ１）＜所定の温度（ＴＳ）の場合には、空気冷却手段（３４、３５）および送風手段（２７）のうち、少なくとも空気冷却手段（３４、３５）を停止するように制御する機能を有していることを特徴とする。
【００２９】
これによれば、靴内部温度（Ｔ１）＞所定の温度（ＴＳ）の場合には、空気流通路（１０１、１０３）内の空気が冷却され、靴内部空間（１１ｄ）に送風される。また、靴内部温度（Ｔ１）＜所定の温度（ＴＳ）の場合には、送風手段（２７）、空気冷却手段（３４、３５）が停止するか、もしくは送風手段（２７）が作動し、空気冷却手段（３４、３５）が停止する。
【００３０】
ところで、外気の温度が所定の温度（ＴＳ）より高い環境では、送風手段（２７）、空気冷却手段（３４、３５）が停止すると、所定の温度（ＴＳ）より高温の外気により空調靴全体が加熱され、引いては、靴内部空間（１１ｄ）が加熱される。また、送風手段（２７）が作動し、空気冷却手段（３４、３５）が停止する場合は、所定の温度（ＴＳ）より高温の外気を靴内部空間（１１ｄ）に送風することができる。
【００３１】
その結果、熱伝達手段が空気冷却手段（３４、３５）のみであっても、靴内部空間（１１ｄ）の靴内部温度（Ｔ１）が所定の温度（ＴＳ）を維持するように、自動制御することができる。また、靴内部温度（Ｔ１）＜所定の温度（ＴＳ）の場合には、空気冷却手段（３４、３５）が停止するので、省エネ運転をすることができる。
【００３２】
請求項５に記載の発明では、請求項１において、熱伝達手段が、送風手段（２７）により送風される空気を加熱する空気加熱手段（３８、３９）で構成されており、
少なくとも、靴内部温度（Ｔ１）＜所定の温度（ＴＳ）の場合には、空気加熱手段（３８、３９）を作動させて空気流通路（１０１、１０３）内の空気を加熱するとともに、加熱された空気を、送風手段（２７）を作動させて靴内部空間（１１ｄ）に送風するように制御し、
少なくとも、靴内部温度（Ｔ１）＞所定の温度（ＴＳ）の場合には、空気加熱手段（３８、３９）および送風手段（２７）のうち、少なくとも空気加熱手段（３８、３９）を停止するように制御する機能を有していることを特徴とする。
【００３３】
これによれば、靴内部温度（Ｔ１）＜所定の温度（ＴＳ）の場合には、空気流通路（１０１、１０３）内の空気が加熱され、靴内部空間（１１ｄ）に送風される。また、靴内部温度（Ｔ１）＞所定の温度（ＴＳ）の場合には、送風手段（２７）、空気加熱手段（３８、３９）が停止するか、もしくは送風手段（２７）が作動し、空気加熱手段（３８、３９）が停止する。
【００３４】
ところで、外気の温度が所定の温度（ＴＳ）より低い環境では、送風手段（２７）、空気加熱手段（３８、３９）が停止すると、所定の温度（ＴＳ）より低温の外気により空調靴全体が冷却され、引いては、靴内部空間（１１ｄ）が冷却される。また、送風手段（２７）が作動し、空気加熱手段（３８、３９）が停止する場合は、所定の温度（ＴＳ）より低温の外気を靴内部空間（１１ｄ）に送風することができる。
【００３５】
その結果、熱伝達手段が空気加熱手段（３８、３９）のみであっても、靴内部空間（１１ｄ）の靴内部温度（Ｔ１）が所定の温度（ＴＳ）を維持するように、自動制御することができる。また、靴内部温度（Ｔ１）＞所定の温度（ＴＳ）の場合には、空気加熱手段（３８、３９）が停止するので、省エネ運転をすることができる。
【００３６】
請求項６に記載の発明のように、請求項２乃至請求項５のいずれか１つにおいて、外気の外気温度（Ｔ２）を検出する外気温度検出手段（４４）を備えており、
制御手段（２９ａ）は、靴内部温度（Ｔ１）、所定の温度（ＴＳ）、外気温度（Ｔ２）の比較結果に基づいて、靴内部温度（Ｔ１）が所定の温度（ＴＳ）を維持するように、送風手段（２７）、熱伝達手段の作動、停止を制御する機能を有していてもよい。
【００３７】
請求項７に記載の発明では、請求項６において、制御手段（２９ａ）は、靴内部温度（Ｔ１）＞所定の温度（ＴＳ）＞外気温度（Ｔ２）の場合、および靴内部温度（Ｔ１）＜所定の温度（ＴＳ）＜外気温度（Ｔ２）の場合には、熱伝達手段、送風手段（２７）のうち、少なくとも熱伝達手段を停止するように制御する機能を有していることを特徴とする。
【００３８】
これによれば、靴内部温度（Ｔ１）＞所定の温度（ＴＳ）＞外気温度（Ｔ２）の場合、靴内部温度（Ｔ１）＜所定の温度（ＴＳ）＜外気温度（Ｔ２）の場合には、熱伝達手段、送風手段（２７）の両方が停止するか、もしくは送風手段（２７）が作動し、熱伝達手段が停止する。
【００３９】
上記のように、靴内部温度（Ｔ１）＞所定の温度（ＴＳ）＞外気温度（Ｔ２）の場合に、送風手段（２７）、熱伝達手段が停止すると、所定の温度（ＴＳ）より低い外気温度（Ｔ２）の外気により空調靴全体が冷却され、引いては、靴内部空間（１１ｄ）が冷却される。また、送風手段（２７）が作動し、熱伝達手段が停止する場合は、所定の温度（ＴＳ）より低い温度の外気を靴内部空間（１１ｄ）に送風することができる。
【００４０】
また、靴内部温度（Ｔ１）＜所定の温度（ＴＳ）＜外気温度（Ｔ２）の場合に、送風手段（２７）、熱伝達手段を停止させると、所定の温度（ＴＳ）より高い外気温度（Ｔ２）の外気により空調靴全体が加熱され、引いては、靴内部空間（１１ｄ）が加熱される。また、送風手段（２７）が作動し、熱伝達手段が停止する場合は、所定の温度（ＴＳ）より高い温度の外気を靴内部空間（１１ｄ）に送風することができる。
【００４１】
その結果、靴内部温度（Ｔ１）＞所定の温度（ＴＳ）＞外気温度（Ｔ２）の場合、靴内部温度（Ｔ１）＜所定の温度（ＴＳ）＜外気温度（Ｔ２）の場合には、熱伝達手段が停止するので、省エネ運転をすることができる。
【００４２】
請求項８に記載の発明では、靴内部空間（１１ｄ）に一端が開口し、他端が靴内部空間（１１ｄ）および外気のどちらか一方に開口して空気が流通する空気流通路（１０１、１０３）とが形成されており、
空気流通路（１０１、１０３）内の空気を、靴内部空間（１１ｄ）に送風する送風手段（２７）と、
送風手段（２７）により送風される空気に熱を伝達する熱伝達手段と、
送風手段（２７）、熱伝達手段に電気を供給して作動させる電源装置（２５）と、
電源装置（２５）と、送風手段（２７）と、熱伝達手段とからなる回路（２１０）を、靴内部空間（１１ｄ）の靴内部温度（Ｔ１）に基いて自動的に通電および遮断のどちらか一方を行う開閉スイッチ（４５）とを備えており、
開閉スイッチ（４５）は、靴内部温度（Ｔ１）が所定の温度（ＴＳ）を維持するように、送風手段（２７）、熱伝達手段の作動、停止を制御する機能を有していることを特徴とする。
【００４３】
これによれば、温度検出手段（３０）および制御手段（２９ａ）を用いなくとも、開閉スイッチ（４５）という簡単な手段で請求項１と同様の効果を得ることができる。
【００４４】
請求項９に記載の発明のように、請求項８において、熱伝達手段が、送風手段（２７）により送風される空気を冷却する空気冷却手段（３４）と、
送風手段（２７）により送風される空気を加熱する空気加熱手段（３８）の両方とで構成されるとともに、
回路（２１０）が、開閉スイッチ（４５）、空気冷却手段（３４）、電源装置（２５）、送風手段（２７）からなる冷却回路（ＣＣ）と、
開閉スイッチ（４５）、空気加熱手段（３８）、電源装置（２５）、送風手段（２７）からなる加熱回路（ＣＨ）とから構成されており、
開閉スイッチ（４５）は、少なくとも、靴内部空間（１１ｄ）の靴内部温度（Ｔ１）＞所定の温度（ＴＳ）の場合には、送風手段（２７）、空気冷却手段（３４）が作動するように冷却回路（ＣＣ）を通電させ、
少なくとも、靴内部温度（Ｔ１）＜所定の温度（ＴＳ）の場合には、送風手段（２７）、空気加熱手段（３８）が作動するように加熱回路（ＣＨ）を通電させてもよい。
【００４５】
請求項１０に記載の発明のように、請求項８において、熱伝達手段が、送風手段（２７）により送風される空気を冷却する空気冷却手段（３４、３５）で構成されるとともに、
回路（２１０）が、開閉スイッチ（４５）、空気冷却手段（３４、３５）、電源装置（２５）、送風手段（２７）からなる冷却回路（ＣＣ）で構成されており、
開閉スイッチ（４５）は、少なくとも、靴内部空間（１１ｄ）の靴内部温度（Ｔ１）＞所定の温度（ＴＳ）の場合には、送風手段（２７）、空気冷却手段（３４、３５）が作動するように冷却回路（ＣＣ）を通電させ、
少なくとも、靴内部温度（Ｔ１）＜所定の温度（ＴＳ）の場合には、送風手段（２７）、空気冷却手段（３４、３５）のうち、少なくとも空気冷却手段（３４、３５）が停止するように冷却回路（ＣＣ）を遮断させてもよい。
【００４６】
請求項１１に記載の発明のように、請求項８において、熱伝達手段が、送風手段（２７）により送風される空気を加熱する空気加熱手段（３８、３９）で構成されるとともに、
回路（２１０）が、開閉スイッチ（４５）、空気加熱手段（３８、３９）、電源装置（２５）、送風手段（２７）からなる加熱回路（ＣＨ）で構成されており、
開閉スイッチ（４５）は、少なくとも、靴内部空間（１１ｄ）の靴内部温度（Ｔ１）＜所定の温度（ＴＳ）の場合には、送風手段（２７）、空気加熱手段（３８、３９）が作動するように加熱回路（ＣＨ）を通電させ、
少なくとも、靴内部温度（Ｔ１）＞所定の温度（ＴＳ）の場合には、送風手段（２７）、空気加熱手段（３８、３９）のうち、少なくとも空気加熱手段（３８、３９）を停止するように加熱回路（ＣＨ）を遮断させてもよい。
【００４７】
請求項１２に記載の発明では、請求項１乃至請求項７のいずれか１つにおいて、所定の温度（ＴＳ）を手動入力する入力手段（ＳＷ４、ＳＷ５）と、
入力手段（ＳＷ４、ＳＷ５）によって入力された所定の温度（ＴＳ）を表示する所定温度表示手段（ＤＰ１）と、
靴内部温度（Ｔ１）を表示する靴内部温度表示手段（ＤＰ２）とを備えたことを特徴とする。
【００４８】
これによれば、入力手段（ＳＷ４、ＳＷ５）により、所定の温度（ＴＳ）を任意に設定でき、しかも、所定温度表示手段（ＤＰ１）、靴内部温度表示手段（ＤＰ２）により所定の温度（ＴＳ）、靴内部温度（Ｔ１）を目視確認できる。
【００４９】
請求項１３に記載の発明では、請求項１乃至請求項１２のいずれか１つにおいて、靴内部空間（１１ｄ）を形成する靴内側表面（１０２）に、足（２００）が挿入された際に、足（２００）に隙間（１６ｈ、１８ｄ）を有して空気を配風する配風溝（１６ｅ、１８ｃ）が形成されており、
配風溝（１６ｅ、１８ｃ）に、空気流通路（１０１）の一端側が開口するとともに、空気流通路（１０１）の他端側が外気に開口しており、
配風溝（１６ｅ、１８ｃ）は外気に開口するように形成されている場合、および外気に開口しないように形成されている場合のどちらか１つであることを特徴とする。
【００５０】
これによれば、配風溝（１６ｅ、１８ｃ）が、外気に開口するように形成されている場合は、空気流通路（１０１）内の空気が冷却または加熱され、空気流通路（１０１）の一端側から靴内部空間（１１ｄ）に送風される際、空気が配風溝（１６ｅ、１８ｃ）を経由して外気に排出されやすい。その結果、靴内部空間（１１ｄ）の空気を効率的に入れ替えることができる。
【００５１】
また、配風溝（１６ｅ、１８ｃ）が、外気に開口しないように形成されている場合でも、配風溝（１６ｅ、１８ｃ）が全く形成されていない場合に比べ、足（２００）全体に、効率的よく送風することができる。
【００５２】
請求項１４に記載の発明のように、請求項１３において、空気流通路（１０１）とは別に、一端側が配風溝（１６ｅ、１８ｃ）に開口し、他端側が外気に開口する第２の空気流通路（１０４）が形成されていてもよい。
【００５３】
請求項１５に記載の発明では、請求項１乃至請求項１２のいずれか１つにおいて、靴内部空間（１１ｄ）を形成する靴内側表面（１０２）に、足（２００）が挿入された際に、足（２００）に隙間（１６ｈ、１８ｄ）を有して空気を配風する配風溝（１６ｅ、１８ｃ）が形成されており、
配風溝（１６ｅ、１８ｃ）に空気流通路（１０３）の一端側および他端側が開口しており、
配風溝（１６ｅ、１８ｃ）は外気に開口するように形成されている場合、および外気に開口しないように形成されている場合のどちらか１つであることを特徴とする。
【００５４】
これによれば、配風溝（１６ｅ、１８ｃ）が、外気に開口していない場合は、空気流通路（１０３）と、配風溝（１６ｅ、１８ｃ）との間で、空気が循環するように流れるので、冷却または加熱された空気を再び使用することができ、空気流通路（１０３）の一端側付近および他端側付近で温度差を少なくできる。しかも、配風溝（１６ｅ、１８ｃ）が、外気に開口していない場合は、靴内部空間（１１ｄ）の空気が外気側に漏れにくくなり、靴内部空間（１１ｄ）の温度変化を少なくできる。
【００５５】
その結果、空気流通路（１０３）の空気を冷却、または加熱をする電力が少なくなるので、省エネ運転ができ、しかも、外気の温度が変動しても、靴内部温度（Ｔ１）を維持し易い。
【００５６】
また、配風溝（１６ｅ、１８ｃ）が、外気に開口していてもよく、靴内部温度（Ｔ１）を維持しながら、靴内部空間（１１ｄ）の空気を換気するようにできる。
【００５７】
請求項１６に記載の発明のように、請求項１乃至請求項１５のいずれか１つにおいて、熱伝達手段を停止させた状態で、空気流通路（１０１、１０３）のうち、一端側および他端側のどちらか一方から他方に、空気流通路（１０１、１０３）の空気を送風するように送風手段（２７）を作動させてもよい。
【００５８】
請求項１７に記載の発明では、請求項１乃至請求項１６のいずれか１つにおいて、熱伝達手段がペルチェ素子のみで構成されており、
ペルチェ素子の排熱手段（２２ｆ）を備えていることを特徴とする。
【００５９】
これによれば、熱伝達手段にペルチェ素子を用いてもよく、その際、ペルチェ素子の排熱手段（２２ｆ）を備えているので、ペルチェ素子が空気流通路（１０１、１０３）内の空気を連続的に熱伝達できる。その結果、ペルチェ素子を連続的に使用することができる。
【００６０】
請求項１８に記載の発明では、請求項１乃至請求項１７のいずれか１つにおいて、空気流通路（１０１、１０３、１０４、１０５）を遮蔽する遮蔽手段を備えていることを特徴とする。
【００６１】
これによれば、遮蔽手段によって、空気流通路（１０１、１０３、１０４、１０５）を遮蔽できるので、空気流通路（１０１、１０３、１０４、１０５）から靴内部空間（１１ｄ）に雨水が浸入しにくくするようにできる。
【００６２】
因みに、上記各手段のかっこ内の符号は、後述する実施形態に記載の具体的手段との対応関係を示す一例である。
【発明を実施するための最良の形態】
【００６３】
（第１実施形態）
第１実施形態および第１実施形態以降の各実施形態を説明するにあたり、以下で説明する「排気」について説明する。「排気する（される）」とは、靴内部空間１１ｄから空気流通路を流通し、外気に送風する（される）ことを言うものとする。
【００６４】
また、以下で説明する配風溝１８ｃであるが、挿入口１１ａまで形成されている場合を図３１に、挿入口１１ａ手前まで形成されている場合を図３２に示す。なお、図３１、図３２のように配風溝１８ｃを描くと図が複雑になり、分かり難いので、図１、図１０、図１６、図２２、図２５、図２６、図２９では、配風溝１８ｃの一部を省略して図示するものとする。
【００６５】
第１実施形態では、空気流通路の一端が靴内部空間に、他端が外気に開口しており、空気流路の他端側（外気側）から一端側（靴内部空間側）に送風するようにした。
【００６６】
第１実施形態を説明するにあたり、最初に本発明の空調靴の構造について説明する。図１は本発明の第１実施形態の空調靴の断面正面図を、図２は空気流通路を説明する一部断面平面図を、図３は足底板の断面図を、図４は空調靴を足底板上方から見た平面図を示している。
【００６７】
空調靴１００のうち靴本体部１１は、図１に示すように、足２００を挿入する挿入口１１ａを有しており、足２００の足裏部２００ａを支持する底部１２と、足２００の甲部２００ｂ等を覆うアッパー１３から構成されている。なお、以下の説明において、靴本体部１１のうち、足２００のつま先部２００ｃ側の端部を靴先端部１１ｂ、足２００のかかと部２００ｄ側の端部を靴後端部１１ｃ、底部１２とアッパー１３とで囲まれる領域を靴内部空間１１ｄ、靴内部空間１１ｄのうち、足２００のつま先部２００ｃ近傍を足先部空間１１ｅと称するものとする。
【００６８】
底部１２は路面と直接接地するアウトソール１４、アウトソール１４の上側に貼り合わされ、着地時の衝撃を緩和するミッドソール１５、さらにミッドソール１５の上側に配置され、足２００を支持する足底板１６から構成されている。
【００６９】
ここで、本発明の空気流通路１０１について説明する。アウトソール１４のうち、靴後端部１１ｃ側には、後述する空調ユニット本体部２２の第２開口部２２ｃと、外気とを連通する連通路１４ａが形成されている。なお、アウトソール１４の連通路１４ａのうち、外気側の開口部を外気開口部１４ｂと称するものとする。
【００７０】
ミッドソール１５の上面１５ａには、図１、図２に示すように、上側に開口する溝部１５ｂが形成されており、この溝部１５ｂと、後述する空調ユニット本体部２２の第１開口部２２ｂとを連通する連通路１５ｃが形成されている。
【００７１】
また、足底板１６の下面１６ａには、図３、図４に示すように、上記ミッドソール１５の溝部１５ｂに開口する開口部１６ｂが、所定間隔を有して複数形成されている。
【００７２】
また、上記足底板１６の上面１６ｄには、径方向断面が矩形で、靴内部空間１１ｄ側に開口して直交する配風溝１６ｅが形成されている。上記開口部１６ｂと上記配風溝１６ｅとの間には、開口部１６ｂと配風溝１６ｅとを連通する連通穴１６ｆが形成されている。
【００７３】
なお、以下の説明において、配風溝１６ｅに形成される空間を隙間１６ｈ、連通穴１６ｆのうち、靴内部空間１１ｄ側に形成される開口部位を靴内開口部１６ｊと称するものとする。
【００７４】
したがって、上記構成によれば、後述する空調ユニット２０の送風機２７が図２の紙面上方から見て、反時計回りに作動すると、外気は、アウトソール１４の外気開口部１４ｂから吸い込まれて、連通路１４ａ、空調ユニット本体部２２の第２開口部２２ｃ、後述する送風路２２ａ、第１開口部２２ｂ、ミッドソール１５の連通路１５ｃ、溝部１５ｂ、足底板１６の開口部１６ｂ、連通穴１６ｆの順に流通し、足底板１６の靴内開口部１６ｊから送風される。上記アウトソール１４の外気開口部１４ｂから足底板１６の靴内開口部１６ｊに至る経路は、本発明の空気流通路１０１を構成する。
【００７５】
また、アッパー１３は、図１に示すように、表革１７、裏革１８を縫製して形成されており、裏革１８の靴内部空間１１ｄ側の裏革表面１８ａには突出部１８ｂが接着されている。なお、以下の説明において、突出部１８ｂが接着されることによって形成される溝を配風溝１８ｃ、配風溝１８ｃに形成される空間を隙間１８ｄと称するものとする。
【００７６】
上記配風溝１８ｃは、靴本体部１１の挿入口１１ａまで形成されており、外気が空気流通路１０１を経由して、靴内開口部１６ｊから靴内部空間１１ｄに送風される際、靴内部空間１１ｄ内の空気が隙間１６ｈ、隙間１８ｄを経由して挿入口１１ａから排出される。
【００７７】
なお、上記足底板１６、裏革１８、突出部１８ｂから形成される靴の内側部位を、靴内側表面１０２と称するものとする。
【００７８】
次に、発明の空調装置１９について説明する。アウトソール１４とミッドソール１５の間には、空調装置１９が配置されており、上記空調装置１９は空調ユニット２０、制御ユニット２１より構成されている。
【００７９】
最初に、空調ユニット２０について説明する。空調ユニット２０は、空調ユニット本体部２２、空調器２３、電源装置２５、フタ部２６、送風機２７により構成されている。以下、具体的に説明する。
【００８０】
空調ユニット本体部２２には、図５、図６に示すように、空気が流通する送風路２２ａが形成されている。送風路２２ａのうち、靴先端部１１ｂ側には、ミッドソール１５の連通路１５ｃに開口する第１開口部２２ｂが、靴後端部１１ｃ側には、アウトソール１４の連通路１４ａに開口する第２開口部２２ｃが形成されている。
【００８１】
上記空調ユニット本体部２２は、アルミ合金製で、後述する送風機２７が破損しにくい強度を有している。チタン合金、マグネシウム合金を用いてもよい。
【００８２】
上記送風路２２ａのうち、靴先端部１１ｂ側から靴後端部１１ｃ側に伸びるように形成された部位を水平部位２２ｄと称するものとすると、上記水平部位２２ｄのうち、靴後端部１１ｃ側には、送風機２７が配置されている。送風機２７は本発明の送風手段を構成するものであって、第１実施形態では、軸流式のものが用いられている。
【００８３】
また、送風機２７の空気流れ下流側には、送風路２２ａの水平部位２２ｄの下側に空調器２３を収納する収納室２２ｅが形成され、送風路２２ａの水平部位２２ｄの上側に電源装置２５が配置されている。また、上記収納室２２ｅの下側には、熱交換部２２ｆが設けられている。この熱交換部２２ｆは、複数の穴部２２ｇが直交するように形成されている。熱交換部２２ｆは、本発明の排熱手段を構成する。
【００８４】
なお、アウトソール１４には、熱交換部２２ｆの穴部２２ｇと、外気とを連通する熱交換用の連通路が設けられており、外気が上記穴部２２ｇを出入りできるようになっている。したがって、空調器２３で発生した熱は、熱交換部２２ｆに伝達され、熱交換部２２ｆと、外気との間で熱交換を行うことができる。
【００８５】
空調器２３は、図７に示すように、靴後端部１１ｃ側に本発明の空気冷却手段を構成するペルチェ素子３４と、靴先端部１１ｂ側に本発明の空気加熱手段を構成するヒータ３８、ペルチェ素子３４、ヒータ３８を保持する保持器４０、ペルチェ素子３４、ヒータ３８を保護するクッション部材４１から構成されている。なお、ペルチェ素子は公知の技術であり、詳細は省略する。なお、上記空気冷却手段、空気加熱手段は、本発明の熱伝達手段を構成する。
【００８６】
なお、第１実施形態では空気冷却手段を１個のペルチェ素子で構成したが、複数で構成してもよい。また、空気加熱手段を１個のヒータで構成したが、複数で構成してもよい。
【００８７】
上記空調器２３は、空調ユニット本体部２２の収納室２２ｅに収納された後、防水シール４２を挿入し、押え金具４３を図示しないねじを用いて空調ユニット本体部２２に固定して防水される。
【００８８】
上記ペルチェ素子３４は、送風機２７の空気流れ下流側に配置され、電源装置２５から電気が供給された際に、送風路２２ａの空気を冷却するように接続されている。なお、ペルチェ素子３４の両熱交換面のうち、送風路側の熱交換面を送風路側熱交換面３４ａ、反対側の面を熱交換部側熱交換面３４ｂと称するものとする。
【００８９】
また、ヒータ３８は平板状のセラミックヒータで、セラミックの中に電熱線を埋設したものである。ヒータ３８は、ペルチェ素子３４の空気流れ下流側に配置されている。
【００９０】
保持器４０は絶縁性の樹脂を用いており、上部が浅皿状に開口している。そして、この開口した部位に、ペルチェ素子３４の伸び縮みと、歩行の際の衝撃を吸収するために、弾力性のあるシリコン樹脂製のクッション部材４１が配置されている。
【００９１】
電源装置２５は、送風機２７、制御ユニット２１に電気を供給するもので、電池２５ａ、安全装置２５ｂから構成されている。上記電池２５ａは、２次電池を使用しており、安全用回路を内蔵した安全装置２５ｂを備えている。１次電池を使用してもよい。電源装置２５は、フタ部２６により密閉される。
【００９２】
次に、制御ユニット２１、温度センサ３０、センサボックス３１、操作盤３２について説明する。
【００９３】
制御ユニット２１は、制御部本体部２８、制御基板２９から構成されており、制御部本体部２８に制御基板２９が内蔵されている。上記制御基板２９は、図８に示すように、温度センサ３０によって検出される靴内部温度Ｔ１と、設定温度ＴＳとを比較し、所定のプログラムに基いて送風機２７、ペルチェ素子３４、ヒータ３８を制御、作動させる制御回路２９ａを搭載している。上記設定温度ＴＳは本発明の所定の温度を、制御回路２９ａは本発明の制御手段を構成する。
【００９４】
本発明の温度検出手段を構成する温度センサ３０は、図１、図４に示すように、足底板１６のうち、靴先端部１１ｂ近傍に配置されたセンサボックス３１の内側に取り付けられ、足先部空間１１ｅ付近の靴内部温度Ｔ１を検出する。上記センサボックス３１は温度センサ３０を保護する。
【００９５】
操作盤３２は、図９に示すように、操作部３２ａと、表示部３２ｂとから構成されている。
【００９６】
操作部３２ａには、入／切スイッチＳＷ１、風量切換スイッチＳＷ２、モード選択スイッチＳＷ３、温度＋スイッチＳＷ４、温度−スイッチＳＷ５が設けられている。
【００９７】
入／切スイッチＳＷ１は、１回押すごとに、運転開始、運転停止を行う。
【００９８】
風量切換スイッチＳＷ２は風量の切り換えを行うものであり、風量切換スイッチＳＷ２を押すごとに強風と弱風の２つの切り換えを行う。
【００９９】
モード選択スイッチＳＷ３は、１回押すごとに、後述する各制御モードＭ１〜Ｍ５を選択することができ、該当するモードに応じて、表示部３２ｂの自動ランプＬＰ１、手動ランプＬＰ２、冷却表示ランプＬＰ３、加熱表示ランプＬＰ４が点灯、または消灯する。入／切スイッチＳＷ１を押すことにより、運転を開始する。モード選択スイッチＳＷ３は、本発明のモード選択手段を構成する。
【０１００】
本発明の入力手段を構成する温度＋スイッチＳＷ４、温度−スイッチＳＷ５は、靴内部空間１１ｄの温度を操作者が所望する設定温度ＴＳに設定、入力するもので、温度＋スイッチＳＷ４を押すごとに設定温度ＴＳを１℃ずつ上昇させ、温度−スイッチＳＷ５を押すごとに設定温度ＴＳを１℃ずつ下降させることができる。操作者が所望する設定温度ＴＳは後述する設定温度表示画面ＤＰ１に表示される。
【０１０１】
また、表示部３２ｂには、自動ランプＬＰ１、手動ランプＬＰ２、冷却表示ランプＬＰ３、加熱表示ランプＬＰ４、運転中表示ランプＬＰ５、バッテリ表示ランプＬＰ６、上記温度＋スイッチＳＷ４、温度−スイッチＳＷ５により入力された設定温度ＴＳを数値表示する設定温度表示画面ＤＰ１、靴内部温度Ｔ１を数値表示する靴内部温度表示画面ＤＰ２が設けられている。上記設定温度表示画面ＤＰ１は本発明の所定温度表示手段を、上記靴内部温度表示画面ＤＰ２は本発明の靴内部温度表示手段を構成する。
【０１０２】
自動ランプＬＰ１は自動運転時に、手動ランプＬＰ２は手動運転時に点灯表示する。また、冷却表示ランプＬＰ３は、後述する冷却／加熱モード、冷却モードで運転をする際に、加熱表示ランプＬＰ４は後述する冷却／加熱モード、加熱モードで運転をする際に点灯表示する。運転中表示ランプＬＰ５は、送風機２７が作動しているときに点灯表示する。バッテリ表示ランプＬＰ６は、電池２５ａが所定電圧以上で点灯表示する。
【０１０３】
ここで、以下の説明に先立ち、操作盤３２のモード選択スイッチＳＷ３を押すことによって選択される制御モードについて説明する。
【０１０４】
送風路２２ａの送風空気を冷却または加熱して自動的に温度調節する制御モードを、自動冷却／加熱モードＭ１、送風路２２ａの送風空気を冷却して温度調節する制御モードを、冷却モード、送風路２２ａの送風空気を加熱して温度調節する制御モードを、加熱モードと称するものとする。
【０１０５】
上記冷却モードは、自動運転により冷却制御を行う場合と、手動運転により冷却制御を行う場合に分けて、前者を自動冷却モードＭ２、後者を手動冷却モードＭ３と称するものとする。また、上記加熱モードは、自動運転により送風を行う場合と、手動運転により送風を行う場合に分けて、前者を自動加熱モードＭ４、後者を手動加熱モードＭ５と称するものとする。
【０１０６】
自動冷却／加熱モードＭ１が選択されると、自動ランプＬＰ１、冷却表示ランプＬＰ３、加熱表示ランプＬＰ４が点灯、手動ランプＬＰ２が消灯する。そして、入／切スイッチＳＷ１が押されて運転を開始すると、温度センサ３０によって検出された靴内部温度Ｔ１と、操作盤３２から入力される靴内設定温度ＴＳとを比較して、靴内部温度Ｔ１＞設定温度ＴＳのときには送風路２２ａ内の空気をペルチェ素子３４を作動させて冷却するとともに、送風機２７を作動させて冷却された空気を靴内部空間１１ｄ側に送風するように制御する。冷却終了後、送風のみ行うようにしてもよい。送風時間が長い場合は、所定時間後、送風を停止するようにしてもよい。
【０１０７】
ペルチェ素子３４は、送風路２２ａ内の空気を冷却する際、送風路側熱交換面３４ａ側が吸熱し、熱交換部側熱交換面３４ｂ側が放熱する。熱交換部側熱交換面３４ｂからの放熱は、熱交換部２２ｆに伝達され、穴部２２ｇで外気と熱交換を行って排熱する。
【０１０８】
また、靴内部温度Ｔ１＜設定温度ＴＳのときには送風路２２ａ内の空気をヒータ３８を作動させて加熱するとともに、送風機２７を作動させて加熱された空気を靴内部空間１１ｄ側に送風するように制御する。加熱終了後、送風のみ行うようにしてもよい。送風時間が長い場合は、所定時間後、送風を停止するようにしてもよい。
【０１０９】
自動冷却モードＭ２が選択されると、自動ランプＬＰ１、冷却表示ランプＬＰ３が点灯、手動ランプＬＰ２、加熱表示ランプＬＰ４が消灯する。そして、入／切スイッチＳＷ１が押されて運転を開始すると、温度センサ３０によって検出された靴内部温度Ｔ１と、操作盤３２から入力される靴内設定温度ＴＳとを比較して、靴内部温度Ｔ１＞設定温度ＴＳのときには送風路２２ａ内の空気をペルチェ素子３４を作動させて冷却するとともに、送風機２７を作動させて冷却された空気を靴内部空間１１ｄ側に送風するように制御する。冷却終了後、送風のみ行うようにしてもよい。送風時間が長い場合は、所定時間後、送風を停止するようにしてもよい。
【０１１０】
また、靴内部温度Ｔ１＜設定温度ＴＳのときにはペルチェ素子３４、送風機２７を停止するように制御する。送風のみ行うようにしてもよい。送風時間が長い場合は、所定時間後、送風を停止するようにしてもよい。
【０１１１】
手動冷却モードＭ３が選択されると、手動ランプＬＰ２、冷却表示ランプＬＰ３が点灯、自動ランプＬＰ１、加熱表示ランプＬＰ４が消灯する。そして、入／切スイッチＳＷ１が押されて運転を開始すると、送風路２２ａ内の空気を、強制的にペルチェ素子３４を作動させて冷却するとともに、送風機２７によって冷却された空気を靴内部空間１１ｄ側に送風するように制御する。
【０１１２】
自動加熱モードＭ４が選択されると、自動ランプＬＰ１、加熱表示ランプＬＰ４が点灯、手動ランプＬＰ２、冷却表示ランプＬＰ３消灯する。そして、入／切スイッチＳＷ１が押されて運転を開始すると、温度センサ３０によって検出された靴内部温度Ｔ１と、操作盤３２から入力される靴内設定温度ＴＳとを比較して、靴内部温度Ｔ１＜設定温度ＴＳのときには送風路２２ａ内の空気をヒータ３８を作動させて加熱するとともに、送風機２７を作動させて加熱された空気を靴内部空間１１ｄ側に送風するように制御する。加熱終了後、送風のみ行うようにしてもよい。送風時間が長い場合は、所定時間後、送風を停止するようにしてもよい。
【０１１３】
また、靴内部温度Ｔ１＞設定温度ＴＳのときにはヒータ３８、送風機２７を停止するように制御する。送風のみ行うようにしてもよい。送風時間が長い場合は、所定時間後、送風を停止するようにしてもよい。
【０１１４】
手動加熱モードＭ５が選択されると、手動ランプＬＰ２、加熱表示ランプＬＰ４が点灯、自動ランプＬＰ１、冷却表示ランプＬＰ３が消灯する。そして、入／切スイッチＳＷ１が押されて運転を開始すると、送風路２２ａ内の空気を、強制的にヒータ３８を作動させて加熱するとともに、送風機２７を作動させて加熱された空気を靴内部空間１１ｄ側に送風するように制御する。
【０１１５】
上記構成によれば、自動冷却／加熱モードＭ１で運転した場合で、靴内部温度Ｔ１＞設定温度ＴＳの場合には、送風機２７が作動して空気流通路１０１内の空気が靴内部空間１１ｄに送風される。その際、ペルチェ素子３４が作動して靴内部空間１１ｄに送風される空気を冷却するので、靴内部温度Ｔ１が下がるように作用する。また、靴内部温度Ｔ１＜設定温度ＴＳの場合には、送風機２７が作動して空気流通路１０１内の空気が靴内部空間１１ｄに送風される。その際、ヒータ３８が作動して靴内部空間１１ｄに送風される空気を加熱するので、靴内部温度Ｔ１が上がるように作用する。
【０１１６】
その結果、靴内部空間１１ｄの靴内部温度Ｔ１が設定温度ＴＳを維持するように、自動制御することができる。
【０１１７】
また、自動冷却モードＭ２で運転した場合で、靴内部温度Ｔ１＞設定温度ＴＳの場合には、送風機２７が作動して空気流通路１０１内の空気が靴内部空間１１ｄに送風される。その際、ペルチェ素子３４が作動して靴内部空間１１ｄに送風される空気を冷却するので、靴内部温度Ｔ１が下がるように作用する。また、靴内部温度Ｔ１＜設定温度ＴＳの場合には、ペルチェ素子３４、送風機２７を停止するので、夏場のアスファルト上や、鋳物工場の鋳造作業場など、外気が設定温度ＴＳより高温の環境では、空調靴全体が加熱され、靴内部温度Ｔ１が上がるように作用する。靴内部温度Ｔ１＜設定温度ＴＳの場合に、送風機２７のみ作動させると、設定温度ＴＳより高温の外気が靴内部空間１１ｄに送風され、靴内部温度Ｔ１が上がるように作用する。
【０１１８】
その結果、靴内部空間１１ｄの靴内部温度Ｔ１が設定温度ＴＳを維持するように、自動制御することができる。また、上述のように、外気が設定温度ＴＳより高温の環境では、靴内部温度Ｔ１＜設定温度ＴＳの場合に、ペルチェ素子３４が停止するので、自動冷却／加熱モードＭ１運転時より省エネできる。
【０１１９】
また、自動加熱モードＭ４で運転した場合で、靴内部温度Ｔ１＜設定温度ＴＳの場合には、送風機２７が作動して空気流通路１０１内の空気が靴内部空間１１ｄに送風される。その際、ヒータ３８が作動して靴内部空間１１ｄに送風される空気を加熱するので、靴内部温度Ｔ１が上がるように作用する。また、靴内部温度Ｔ１＞設定温度ＴＳの場合には、ヒータ３８、送風機２７を停止するので、冬場のスキー場や、冷凍室の中など、外気が設定温度ＴＳより低温の環境では、空調靴全体が冷却され、靴内部温度Ｔ１が下がるように作用する。靴内部温度Ｔ１＞設定温度ＴＳの場合に、送風機２７のみ作動させると、設定温度ＴＳより低温の外気が靴内部空間１１ｄに送風され、靴内部温度Ｔ１が下がるように作用する。
【０１２０】
その結果、靴内部空間１１ｄの靴内部温度Ｔ１が設定温度ＴＳを維持するように、自動制御することができる。また、上述のように、外気が設定温度ＴＳより低温の環境では、靴内部温度Ｔ１＞設定温度ＴＳの場合に、ヒータ３８が停止するので、自動冷却／加熱モードＭ１運転時より省エネできる。
【０１２１】
また、設定温度ＴＳを温度＋スイッチＳＷ４、温度−スイッチＳＷ５により設定できるので、操作者が、設定温度ＴＳを足２００が快適と感じる温度、あるいは好みの温度に設定できる。さらに、環境に応じ、モード選択スイッチＳＷ３で選択して、各モードＭ１〜Ｍ５を任意に選択できる。
【０１２２】
また、靴内側表面１０２に、挿入口１１ａまで、足２００に空気を配風する配風溝１６ｅ、１８ｃが形成されているので、足２００に空気を行き渡らせることができる。また、空気流通路１０１内の空気が冷却または加熱され、靴内開口部１６ｊから靴内部空間１１ｄに送風される際、空気が配風溝１６ｅ、１８ｃを経由して挿入口１１ａから排出されやすい。その結果、靴内部空間１１ｄの空気を効率よく入れ替えることができる。
【０１２３】
（第２実施形態）
第１実施形態では、空気流通路の一端が靴内部空間１１ｄに、他端が外気に開口しており、空気流通路の他端側（外気側）から一端側（靴内部空間１１ｄ側）に送風するようにしたが、空気流通路の一端側および他端側の両方を靴内部空間１１ｄに開口するようにして、空気流通路と、足底板の隙間とで、空気を循環するようにしてもよい。
【０１２４】
制御ユニット２１、空調器２３、各制御モードは、第１実施形態と同様であるので、主に第１実施形態との相違点である空気流通路１０３、足底板１６等について説明する。
【０１２５】
最初に、空調ユニット本体部２２について説明する。上記空調ユニット本体部２２には、図１０、図１４に示すように、空気を送風する送風路２２ａが上側にＵ字状に開放するように形成されている。また、図１５に示すように、送風路２２ａの第１開口部２２ｂは第１実施形態と同様に形成されており、第２開口部２２ｃは後述する足底板１６の開口部１６ｃに開口するように形成されている。なお、送風路２２ａの途中に設けられた送風機２７は、第２実施形態では、貫流式のものを用いている。
【０１２６】
ミッドソール１５は、図１１に示すように、第１実施形態と同様の構成で、溝部１５ｂ、連通路１５ｃが形成されている。
【０１２７】
また、足底板１６は、図１２に示すように、開口部１６ｂ、配風溝１６ｅ、連通穴１６ｆ、隙間１６ｈが第１実施形態と同様に形成されており、さらに、空調ユニット本体部２２の第２開口部２２ｃに開口する開口部１６ｃと、上記開口部１６ｃと配風溝１６ｅとを連通する連通穴１６ｇが形成されている。連通穴１６ｇは、連通穴１６ｆと区別するために、図１３において、●印で示した。
【０１２８】
なお、第２実施形態では、連通穴１６ｆのうち、靴内部空間１１ｄ側に形成される開口部位を靴内開口部１６ｋ、連通穴１６ｇのうち、靴内部空間１１ｄ側に形成される開口部位を靴内開口部１６ｍと称するものとする。上記靴内開口部１６ｋは、第１実施形態の靴内開口部１６ｊに相当する。靴内開口部１６ｋは本発明の第１の靴内開口部を、靴内開口部１６ｍは本発明の第２の靴内開口部を構成する。
【０１２９】
したがって、上記構成によれば、空調ユニット本体部２２の送風機２７が図１０の紙面上方から見て、時計回りに作動すると、靴内部空間１１ｄにおける靴内部空間１１ｄの空気は、足底板１６の靴内開口部１６ｍから吸い込まれ、足底板１６の連通穴１６ｇ、開口部１６ｃ、空調ユニット本体部２２の第２開口部２２ｃ、送風路２２ａ、第１開口部２２ｂ、ミッドソール１５の連通路１５ｃ、溝部１５ｂ、足底板１６の開口部１６ｂ、連通穴１６ｆの順に送風され、靴内開口部１６ｋから吐出される。上記足底板１６の靴内開口部１６ｍから靴内開口部１６ｋに至る経路は、本発明の空気流通路１０３を構成する。
【０１３０】
ところで、上記靴内開口部１６ｋから吐出された空気は、足裏部２００ａに吹き付けられながら、配風溝１６ｅの隙間１６ｈを経由して再び足底板１６の靴内開口部１６ｍから吸い込まれる。すなわち、靴内部空間１１ｄの空気が、上記空気流通路１０３と、足底板１６の隙間１６ｈとで循環し、その途中で、冷却または加熱をすることができる。
【０１３１】
また、アッパー１３の配風溝１８ｃは、第１実施形態では、靴本体部１１の挿入口１１ａまで形成されていたが、第２実施形態では、挿入口１１ａ手前まで形成されている。
【０１３２】
上記構成によれば、空気流通路１０３と、配風溝１６ｅ、１８ｃとの間で、空気が循環するように流れるので、空調された空気を再び使用することができ、靴内開口部１６ｋ付近と、靴内開口部１６ｍ付近とで温度差を少なくできる。その結果、空気流通路１０１の空気を冷却、または加熱をする電力が少なくなるので、省エネ運転ができる。
【０１３３】
また、足２００に空気を配風する配風溝１６ｅ、１８ｃが挿入口１１ａ近傍まで形成されているので、空気流通路１０３内の空気が靴内部空間１１ｄに送風される際、上記空気を足２００に、容易に行き渡らせることができる。
【０１３４】
しかも、靴内部空間１１ｄの空気が挿入口１１ａから排出されにくくなっており、靴内部空間１１ｄの温度変化を少なくできる。その結果、外気の温度が変動しても、靴内部温度Ｔ１を維持し易い。
【０１３５】
（第３実施形態）
第３実施形態のように、第１実施形態に示す空気流通路１０１とは別に、一端側が靴内部空間１１ｄに開口し、他端側が外気に開口する第２の空気流通路を設けてもよい。主に、第２実施形態との相違点である空気流通路１０４、アウトソール１４、ミッドソール１５等について説明する。
【０１３６】
最初に、足底板１６について説明する。足底板１６は、図１２、図１３に示す第２実施形態と同様の形状で構成されている。なお、第３実施形態では、第２実施形態の靴内開口部１６ｋに相当する開口部位を靴内開口部１６ｎ、第２実施形態の靴内開口部１６ｍに相当する開口部位を靴内開口部１６ｐと称するものとし、それぞれ、図１２、図１３において、（１６ｎ）、（１６ｐ）と図示した。上記靴内開口部１６ｎは、本発明の第１の靴内開口部を、上記靴内開口部１６ｐは、本発明の第２の靴内開口部を構成する。
【０１３７】
次に、空調ユニット本体部２２について説明する。図１６、図１７に示すように、上記空調ユニット本体部２２には、２つの送風路２２ａ、２２ｈが形成されている。上記送風路２２ａの両端には第１開口部２２ｂ、第２開口部２２ｃが形成されており、送風機２７が上記送風路２２ａの途中に配置されている。
【０１３８】
また、送風路２２ｈは、靴先端部１１ｂ側に第３開口部２２ｊが、靴後端部１１ｃ側に第４開口部２２ｋが形成されている。上記第３開口部２２ｊは、足底板１６の開口部１６ｃに、上記第４開口部２２ｋは、後述するミッドソール１５の連通路１５ｄに開口している。
【０１３９】
アウトソール１４の連通路１４ａは、形状は異なるが、第１実施形態と同様に構成されている。連通路１４ａのうち、靴後端部１１ｃ側に形成された開口部を外気開口部１４ｃと称するものとする。外気開口部１４ｃは、本発明の第１の外気開口部を構成する。
【０１４０】
ミッドソール１５のうち、靴後端部１１ｃ側には、送風路２２ａの第４開口部２２ｋと外気を連通する連通路１５ｄが形成されている。なお、連通路１５ｄのうち、靴後端部１１ｃ側に形成された開口部を、外気開口部１５ｅと称するものとする。外気開口部１５ｅは本発明の第２の外気開口部を構成する。
【０１４１】
上記構成によれば、送風機２７が、図１６の紙面上方から見て時計回りに作動すると、外気がアウトソール１４の外気開口部１４ｃから吸い込まれ、アウトソール１４の連通路１４ａ、空調ユニット本体部２２の第２開口部２２ｃ、送風路２２ａ、第１開口部２２ｂ、ミッドソール１５の連通路１５ｃ、溝部１５ｂ、足底板１６の開口部１６ｂ、連通穴１６ｆの順に送風され、靴内開口部１６ｎから靴内部空間１１ｄに供給される。
【０１４２】
そして、靴内部空間１１ｄに供給された空気は、足底板１６の配風溝１６ｅの隙間１６ｈ、アッパー１３の配風溝１８ｃの隙間１８ｄを流通した後、足底板１６の靴内開口部１６ｐから吸い込まれ、足底板１６の連通穴１６ｇ、開口部１６ｃ、空調ユニット本体部２２の第３開口部２２ｊ、送風路２２ｈ、第４開口部２２ｋ、ミッドソール１５の連通路１５ｄの順に送風され、外気開口部１５ｅから外気に吐き出される。
【０１４３】
上記アウトソール１４の外気開口部１４ｃから靴内開口部１６ｎまでの経路は本発明の空気流通路１０１を、足底板１６の靴内開口部１６ｐからミッドソール１５の外気開口部１５ｅまでの経路は本発明の第２の空気流通路１０４を構成する。
【０１４４】
上記構成のように、空気流通路を複数設けてもよい。また、上記構成によれば、靴内側表面１０２に、挿入口１１ａまで、足２００に空気を配風する配風溝１６ｅ、１８ｃが形成されているので、第１実施形態と同様に、空気が配風溝１６ｅ、１８ｃを効率的に流通する。その結果、靴内部空間１１ｄの靴内部空間１１ｄの空気を容易に入れ替えることができる。
【０１４５】
（第４実施形態）
第１実施形態では、ペルチェ素子３４とヒータ３８の少なくとも一方を作動させて空気流通路１０１内の空気を冷却、加熱したが、第４実施形態では、第１実施形態で説明した空調器２３のヒータ３８の代わりに、ペルチェ素子３５を用い、ペルチェ素子３４と併せて、空気流通路１０１内の空気を冷却するようにした。
【０１４６】
空調靴１００のうち靴本体部１１、底部１２、アッパー１３、空気流通路１０１等は第１実施形態と同様であるので、主に、第１実施形態との相違点である空調器２３の構成、制御モード等について、以下に説明する。
【０１４７】
図１８に示すように、空調器２３には、ペルチェ素子３４、３５が配置されており、両ペルチェ素子３４、３５は、電源装置２５から電気が供給された際に、送風路２２ａの空気を冷却するように接続されている。なお、ペルチェ素子３５の両熱交換面のうち、送風路側の熱交換面を送風路側熱交換面３５ａ、反対側の面を熱交換部側熱交換面３５ｂと称するものとする。上記ペルチェ素子３４、３５は、どちらか一方のみ作動させてもよい。ペルチェ素子３５は、本発明の空気冷却手段を構成する。
【０１４８】
また、制御ユニット２１の制御回路２９ａは、図１９に示すように、温度センサ３０によって検出される靴内部温度Ｔ１と、設定温度ＴＳとを比較し、所定のプログラムに基いて送風機２７、ペルチェ素子３４、３５を制御、作動させる。
【０１４９】
操作盤３２の操作部３２ａの各スイッチＳＷ１〜ＳＷ５、表示部３２ｂの各ランプＬＰ１〜ＬＰ６、各表示画面ＤＰ１、ＤＰ２は、第１実施形態と同様であるが、加熱表示ランプＬＰ４は、設けなくてもよい。
【０１５０】
ここで、以下の説明に先立ち、操作盤３２のモード選択スイッチＳＷ３を押すことによって選択される制御モードについて説明する。
【０１５１】
送風路２２ａの送風空気を冷却して温度調節する制御モードを冷却モードと称するものとする。上記冷却モードは、自動運転により冷却制御を行う場合と、手動運転により冷却制御を行う場合に分けて、前者を自動冷却モードＭ１１、後者を手動冷却モードＭ１２と称するものとする。
【０１５２】
上記自動冷却モードＭ１１は、第１実施形態の自動冷却モードＭ２に相当する。また、上記手動冷却モードＭ１２は、第１実施形態の手動冷却モードＭ３に相当する。
【０１５３】
自動冷却モードＭ１１が選択されると、自動ランプＬＰ１、冷却表示ランプＬＰ３が点灯、手動ランプＬＰ２、加熱表示ランプＬＰ４が消灯する。そして、入／切スイッチＳＷ１が押されて運転を開始すると、温度センサ３０によって検出された靴内部温度Ｔ１と、操作盤３２から入力される靴内設定温度ＴＳとを比較して、靴内部温度Ｔ１＞設定温度ＴＳのときには送風路２２ａ内の空気をペルチェ素子３４、３５を作動させて冷却するとともに、送風機２７を作動させて冷却された空気を靴内部空間１１ｄ側に送風するように制御する。冷却終了後、送風のみ行うようにしてもよい。送風時間が長い場合は、所定時間後、送風を停止するようにしてもよい。
【０１５４】
また、靴内部温度Ｔ１＜設定温度ＴＳのときには送風機２７、ペルチェ素子３４、３５を停止するように制御する。送風のみ行うようにしてもよい。送風時間が長い場合は、所定時間後、送風を停止するようにしてもよい。
【０１５５】
手動冷却モードＭ１２が選択されると、手動ランプＬＰ２、冷却表示ランプＬＰ３が点灯、自動ランプＬＰ１、加熱表示ランプＬＰ４が消灯する。そして、入／切スイッチＳＷ１が押されて運転を開始すると、送風路２２ａ内の空気を、強制的にペルチェ素子３４、３５を作動させて冷却するとともに、送風機２７を作動させて冷却された空気を靴内部空間１１ｄ側に送風するように制御する。
【０１５６】
上記構成によれば、自動冷却モードＭ１１で運転した場合で、靴内部温度Ｔ１＞設定温度ＴＳの場合には、送風機２７が作動して空気流通路１０１内の空気が靴内部空間１１ｄに送風される。その際、ペルチェ素子３４、３５が作動して靴内部空間１１ｄに送風される空気を冷却するので、靴内部温度Ｔ１が下がるように作用する。また、靴内部温度Ｔ１＜設定温度ＴＳの場合には、ペルチェ素子３４、３５、送風機２７を停止するので、外気温度が設定温度ＴＳより高温の環境では、空調靴全体が加熱され、靴内部温度Ｔ１が上がるように作用する。靴内部温度Ｔ１＜設定温度ＴＳの場合に、送風機２７のみ作動させると、設定温度ＴＳより高温の外気が靴内部空間１１ｄに送風され、靴内部温度Ｔ１が上がるように作用する。
【０１５７】
その結果、靴内部空間１１ｄの靴内部温度Ｔ１が設定温度ＴＳを維持するように、自動制御することができる。
【０１５８】
（第５実施形態）
第１実施形態では、ペルチェ素子３４とヒータ３８の少なくとも一方を作動させて空気流通路１０１内の空気を冷却、加熱したが、第５実施形態では、第１実施形態で説明した空調器２３のペルチェ素子３４の代わりに、ヒータ３９を用い、ヒータ３８と併せて、空気流通路１０１内の空気を加熱するようにした。
【０１５９】
空調靴１００のうち靴本体部１１、底部１２、アッパー１３、空気流通路１０１等は第１実施形態と同様であるので、主に、第１実施形態との相違点である空調器２３の構成、制御モード等について、以下に説明する。
【０１６０】
図２０に示すように、空調器２３には、ヒータ３８、３９が配置されており、両ヒータ３８、３９は、電源装置２５から電気が供給された際に、送風路２２ａの空気を加熱するように接続されている。上記両ヒータ３８、３９は、どちらか一方のみ作動させてもよい。ヒータ３９は、本発明の空気加熱手段を構成する。
【０１６１】
また、制御ユニット２１の制御回路２９ａは、図２１に示すように、温度センサ３０によって検出される靴内部温度Ｔ１と、設定温度ＴＳとを比較し、所定のプログラムに基いて送風機２７、ヒータ３８、３９を制御、作動させる。
【０１６２】
操作盤３２の操作部３２ａの各スイッチＳＷ１〜ＳＷ５、表示部３２ｂの各ランプＬＰ１〜ＬＰ６、各表示画面ＤＰ１、ＤＰ２は、第１実施形態と同様であるが、冷却表示ランプＬＰ３は、設けなくてもよい。
【０１６３】
ここで、以下の説明に先立ち、操作盤３２のモード選択スイッチＳＷ３を押すことによって選択される制御モードについて説明する。
【０１６４】
送風路２２ａの送風空気を加熱して温度調節する制御モードを、加熱モードと称するものとする。上記加熱モードは、自動運転により送風を行う場合と、手動運転により送風を行う場合に分けて、前者を自動加熱モードＭ２１、後者を手動加熱モードＭ２２と称するものとする。
【０１６５】
上記自動加熱モードＭ２１は、第１実施形態の自動加熱モードＭ４に相当する。また、上記手動加熱モードＭ２２は、第１実施形態の手動加熱モードＭ５に相当する。
【０１６６】
自動加熱モードＭ２１が選択されると、自動ランプＬＰ１、加熱表示ランプＬＰ４が点灯、手動ランプＬＰ２、冷却表示ランプＬＰ３が消灯する。そして、入／切スイッチＳＷ１が押されて運転を開始すると、温度センサ３０によって検出された靴内部温度Ｔ１と、操作盤３２から入力される靴内設定温度ＴＳとを比較して、靴内部温度Ｔ１＜設定温度ＴＳのときには送風路２２ａ内の空気をヒータ３８、３９によって加熱するとともに、送風機２７によって加熱された空気を靴内部空間１１ｄ側に送風するように制御する。加熱終了後、送風のみ行うようにしてもよい。送風時間が長い場合は、所定時間後、送風を停止するようにしてもよい。
【０１６７】
また、靴内部温度Ｔ１＞設定温度ＴＳのときには送風機２７、ヒータ３８、３９を停止するように制御する。送風のみ行うようにしてもよい。送風時間が長い場合は、所定時間停止するようにしてもよい。
【０１６８】
手動加熱モードＭ２２が選択されると、手動ランプＬＰ２、加熱表示ランプＬＰ４が点灯、自動ランプＬＰ１、冷却表示ランプＬＰ３が消灯する。そして、入／切スイッチＳＷ１が押されて運転を開始すると、送風路２２ａ内の空気を、強制的にヒータ３８、３９を作動させて加熱するとともに、送風機２７を作動させて加熱された空気を靴内部空間１１ｄ側に送風するように制御する。
【０１６９】
上記構成によれば、自動加熱モードＭ２１で運転した場合で、靴内部温度Ｔ１＜設定温度ＴＳの場合には、送風機２７が作動して空気流通路１０１内の空気が靴内部空間１１ｄに送風される。その際、ヒータ３８、３９が作動して靴内部空間１１ｄに送風される空気を加熱するので、靴内部温度Ｔ１が上がるように作用する。また、靴内部温度Ｔ１＞設定温度ＴＳの場合には、ヒータ３８、３９、送風機２７を停止するので、外気温度が設定温度ＴＳより低温の環境では、空調靴全体が冷却され、靴内部温度Ｔ１が下がるように作用する。靴内部温度Ｔ１＞設定温度ＴＳの場合に、送風機２７のみ作動させると、設定温度ＴＳより低温の外気が靴内部空間１１ｄに送風され、靴内部温度Ｔ１が下がるように作用する。
【０１７０】
その結果、靴内部空間１１ｄの靴内部温度Ｔ１が設定温度ＴＳを維持するように、自動制御することができる。
【０１７１】
（第６実施形態）
第１実施形態では靴内部空間にのみ温度センサを設けたが、第６実施形態では、さらに外気温度Ｔ２を検出する検出センサを設けた。
【０１７２】
図２２に示すように、アウトソール１４の連通路１４ａ近傍に、外気温度Ｔ２を検出する外気温度検出センサ４４を配置した。外気温度検出センサ４４を配置すると、靴内部温度Ｔ１、設定温度ＴＳ、外気温度Ｔ２の温度関係に応じて、送風機２７、ペルチェ素子３４、ヒータ３８を細かに制御することが可能となる。外気温度検出センサ４４は、本発明の外気温度検出手段を構成する。
【０１７３】
具体的には、自動冷却／加熱モードＭ１で運転する際、靴内部温度Ｔ１＞設定温度ＴＳ＞外気温度Ｔ２の場合、および靴内部温度Ｔ１＜設定温度ＴＳ＜外気温度Ｔ２の場合には、送風機２７、ペルチェ素子３４、ヒータ３８が停止するか、もしくは送風機２７が作動し、ペルチェ素子３４、ヒータ３８が停止するように制御する。
【０１７４】
上記構成によれば、靴内部温度Ｔ１＞設定温度ＴＳ＞外気温度Ｔ２の場合に、送風機２７、ペルチェ素子３４、ヒータ３８が停止すると、設定温度ＴＳより低い外気温度Ｔ２の外気により空調靴全体が冷却され、引いては、靴内部空間１１ｄが冷却される。また、送風機２７が作動し、ペルチェ素子３４、ヒータ３８が停止する場合は、設定温度ＴＳより低い温度の外気を靴内部空間１１ｄに送風することができる。
【０１７５】
また、靴内部温度Ｔ１＜設定温度ＴＳ＜外気温度Ｔ２の場合に、送風機２７、ペルチェ素子３４、ヒータ３８を停止させると、設定温度ＴＳより高い外気温度Ｔ２の外気により空調靴が加熱され、引いては、靴内部空間１１ｄが加熱される。また、送風機２７が作動し、ペルチェ素子３４、ヒータ３８が停止する場合は、設定温度ＴＳより高い温度の外気を靴内部空間１１ｄに送風することができる。
【０１７６】
その結果、靴内部温度Ｔ１＞設定温度ＴＳ＞外気温度Ｔ２の場合、靴内部温度Ｔ１＜設定温度ＴＳ＜外気温度Ｔ２の場合には、ペルチェ素子３４、ヒータ３８が停止するので、省エネ運転をすることができる。
【０１７７】
（第７実施形態）
第４実施形態において、第６実施形態と同様に、外気温度Ｔ２を検出する検出センサ４４を設けてもよい。
【０１７８】
具体的には、靴内部温度Ｔ１＞設定温度ＴＳ＞外気温度Ｔ２の場合には、送風機２７、ペルチェ素子３４、３５が停止するか、もしくは送風機２７が作動し、ペルチェ素子３４、３５が停止するように制御する。
【０１７９】
上記構成によれば、送風機２７、ペルチェ素子３４、３５が停止する場合は、設定温度ＴＳより低い外気温度Ｔ２の外気により空調靴全体が冷却され、引いては、靴内部空間１１ｄが冷却される。また、送風機２７が作動し、ペルチェ素子３４、３５が停止する場合は、設定温度ＴＳより低い外気温度Ｔ２の外気を靴内部空間１１ｄに送風することができる。
【０１８０】
その結果、靴内部温度Ｔ１＞設定温度ＴＳ＞外気温度Ｔ２の場合には、ペルチェ素子３４、３５が停止するので、省エネ運転をすることができる。
【０１８１】
（第８実施形態）
第５実施形態において、第６実施形態と同様に、外気温度Ｔ２を検出する外気温度検出センサ４４を設けた。
【０１８２】
具体的には、靴内部温度Ｔ１＜設定温度ＴＳ＜外気温度Ｔ２の場合には、送風機２７、ヒータ３８、３９が停止するか、もしくは送風機２７が作動し、ヒータ３８、３９が停止するように制御する。
【０１８３】
上記構成によれば、送風機２７、ヒータ３８、３９が停止する場合は、設定温度ＴＳより高い外気温度Ｔ２の外気により空調靴全体が加熱され、引いては、靴内部空間１１ｄが加熱される。また、送風機２７を作動させ、ヒータ３８、３９が停止する場合は、設定温度ＴＳより高い外気温度Ｔ２の外気を靴内部空間１１ｄに送風することができる。
【０１８４】
その結果、靴内部温度Ｔ１＜設定温度ＴＳ＜外気温度Ｔ２の場合には、ヒータ３８、３９が停止するので、省エネ運転をすることができる。
【０１８５】
（第９実施形態）
第１実施形態では、靴内部空間１１ｄに送風する空気を冷却または加熱するようにしたが、第９実施形態のように、靴内部空間１１ｄに送風する空気を冷却または加熱せずに、外気を靴内部空間１１ｄに送風する、あるいは、靴内部空間１１ｄの空気を外気に排気するようにしてもよい。
【０１８６】
以下、具体的に説明すると、図２３に示すように、操作盤３２の表示部３２ｂに、送風ランプＬＰ７、排気ランプＬＰ８を設け、外気を靴内部空間１１ｄに送風する、あるいは、靴内部空間１１ｄの空気を外気に排気するように制御する制御モードを備えた。
【０１８７】
制御モードについて説明する。外気を靴内部空間１１ｄに送風する制御モードを送風モードＭ６、靴内部空間１１ｄの空気を外気に排気する制御モードを排気モードＭ７と称するものとする。
【０１８８】
図２３に示すモード選択スイッチＳＷ３は、１回押すごとに、後述する各制御モードＭ１〜Ｍ７を切り換えることができる。
【０１８９】
モード選択スイッチＳＷ３を押して、送風モードＭ６を選択すると、手動ランプＬＰ２、送風ランプＬＰ７が点灯、自動ランプＬＰ１、冷却表示ランプＬＰ３、加熱表示ランプＬＰ４、排気ランプＬＰ８が消灯する。そして、入／切スイッチＳＷ１が押されて運転を開始すると、ペルチェ素子３４、ヒータ３８を停止させ、送風機２７を、図２の紙面上方から見て反時計回りに作動させて外気を靴内部空間１１ｄ側に送風するように制御する。
【０１９０】
また、排気モードＭ７を選択すると、手動ランプＬＰ２、排気ランプＬＰ８が点灯、自動ランプＬＰ１、冷却表示ランプＬＰ３、加熱表示ランプＬＰ４、送風ランプＬＰ７が消灯する。そして、入／切スイッチＳＷ１が押されて運転を開始すると、ペルチェ素子３４、ヒータ３８を停止させ、送風機２７を、図２の紙面上方から見て時計回りに作動させて靴内部空間１１ｄの空気を外気側に排気するように制御する。
【０１９１】
なお、第６実施形態のように、外気温度検出センサ４４を設け、靴内部温度Ｔ１＞設定温度ＴＳ＞外気温度Ｔ２の場合に、自動的に送風または排気するようにしてもよい。同様に、外気温度検出センサ４４を設け、靴内部温度Ｔ１＜設定温度ＴＳ＜外気温度Ｔ２の場合に、自動的に送風または排気するようにしてもよい。
【０１９２】
（第１０実施形態）
第１０実施形態に示すように、靴内部空間１１ｄの空気を除湿するようにしてもよい。図２３に示すように、操作盤３２の表示部３２ｂに、除湿ランプＬＰ９を設け、靴内部空間１１ｄの空気を除湿する除湿モードＭ８を備えた。ペルチェ素子３４はヒータ３８の空気流れ上流側に配置する。
【０１９３】
モード選択スイッチＳＷ３を押して、除湿モードＭ８を選択すると、自動ランプＬＰ１、冷却表示ランプＬＰ３、加熱表示ランプＬＰ４、除湿ランプＬＰ９が点灯、手動ランプＬＰ２が消灯する。そして、入／切スイッチＳＷ１を押して運転を開始すると、送風路２２ａ内の空気をペルチェ素子３４によって、一端０℃近傍に冷却して除湿するとともに、送風機２７によって冷却、除湿された空気をヒータ３８側に送風するように制御する。
【０１９４】
次に、靴内部空間１１ｄの靴内部温度Ｔ１が設定温度ＴＳになるように、上記冷却、除湿された０℃近傍の空気を、ヒータ３８によって加熱するとともに、送風機２７によって加熱された空気を靴内部空間１１ｄ側に送風するように制御する。送風時間が長い場合は、所定時間後停止するようにしてもよい。
【０１９５】
ペルチェ素子３４は、送風路２２ａ内の空気を冷却する際、送風路側熱交換面３４ａで送風路２２ａ内の空気から吸熱し、熱交換部側熱交換面３４ｂで放熱する。熱交換部側熱交換面３４ｂからの放熱は、熱交換部２２ｆに伝達され、外気と熱交換を行って排熱される。
【０１９６】
なお、除湿の際に発生する凝縮水は、図示はしないが、高温熱源を用いて水蒸気にし、外気に排出してもよい。また、冷却、除湿を行う際、電源装置２５の消費電力を押さえるために、ペルチェ素子３４の送風路側熱交換面３４ａの温度を比較的高めにしてもよい。
【０１９７】
上記構成によれば、送風機２７により、空気流通路１０１内の空気が、靴内部空間１１ｄに送風される。その際、送風機２７により送風される空気流通路１０１内の空気は、ペルチェ素子３４によって、冷却して除湿される。
その後、上記冷却、除湿された空気は、ヒータ３８によって加熱される。その際、制御回路２９ａによって、適温になるように、上記送風機２７、ペルチェ素子３４、ヒータ３８を制御される。
【０１９８】
その結果、外気の湿度が高くても、除湿して靴内部空間１１ｄの湿度を確実に低減し、しかも、外気温度に左右されることなく靴内部空間１１ｄを適温にすることができる。また、挿入口１１ａから挿入された足２００に、除湿され、適温に加熱された空気が送風されるので、足２００の爽快感を得ることができる。
【０１９９】
（第１１実施形態）
第１実施形態では、温度センサ３０によって検出された靴内部温度Ｔ１と設定温度ＴＳとの比較結果に基いて送風機２７、ペルチェ素子３４、ヒータ３８を制御したが、温度センサ３０を用いずに、バイメタル、サーモスタット等を用いてもよい。なお、各制御モードＭ１〜Ｍ５は第１実施形態と同様に構成される。以下、図２４を参照しながら説明する。なお、図２４は後述する冷却回路ＣＣ、加熱回路ＣＨを分かりやすくした説明図であり、実際の回路図とは異なる。なお、送風機２７は、実際には１つであるが、図２４では冷却回路ＣＣ、加熱回路ＣＨに分けて説明した。
【０２００】
サーモスタット４５、ペルチェ素子３４、電源装置２５、送風機２７からなる冷却回路ＣＣと、サーモスタット４５、ヒータ３８、電源装置２５、送風機２７からなる加熱回路ＣＨを備え、サーモスタット４５を靴内部温度Ｔ１に応じて開閉するようにする。サーモスタット４５は、本発明の開閉スイッチを、冷却回路ＣＣ、加熱回路ＣＨは本発明の回路を構成する。
【０２０１】
上記サーモスタット４５は、温度によって回路、スイッチ等の開、閉を自動的に切り換える装置であり、第１１実施形態では、操作者が不快と感じる温度と、快適と感じる温度の間で冷却回路ＣＣ、加熱回路ＣＨのどちらか一方が通電するようものを選定している。
【０２０２】
そして、自動冷却／加熱モードＭ１で運転すると、上記サーモスタット４５は、靴内部空間１１ｄの靴内部温度Ｔ１＞設定温度ＴＳの場合には、送風機２７、ペルチェ素子３４が作動するように冷却回路ＣＣを通電させる。また、靴内部温度Ｔ１＜設定温度ＴＳの場合には、送風機２７、ヒータ３８が作動するように加熱回路ＣＨを通電させる。
【０２０３】
上記構成によれば、温度センサ３０を用いなくとも、第１実施形態の自動冷却／加熱モードＭ１で運転した場合と同様の作用効果を得ることができる。なお、詳細は省略するが、自動冷却モードＭ２では、冷却回路ＣＣのみが作動するように、自動加熱モードＭ４では、加熱回路ＣＨのみが作動するようにすると、第１実施形態の自動冷却モードＭ２、自動加熱モードＭ４と同様の作用効果を得ることができる。
【０２０４】
（第１２実施形態）
第２実施形態では、アウトソール１４の外気開口部１４ｂを、靴後端部１１ｃ側に開口するようにしていたが、図２５に示すように、外気開口部４６をかかと上部に設けてもよい。外気開口部４６は、第１実施形態の外気開口部１４ｂに相当する。
【０２０５】
（第１３実施形態）
第１実施形態では、制御ユニット２１を底部１２に設けたが、図２６に示すように、空調靴１００の外側に設け、靴本体部１１と分離可能に構成してもよい。
【０２０６】
また、図示はしないが、電源装置２５を靴本体部１１の外側に設け、靴本体部１１と分離可能に構成してもよい。上記制御ユニット２１と、電源装置２５を一体に構成し、靴本体部１１と分離可能に構成してもよい。
【０２０７】
また、空調ユニット２０、制御ユニット２１、電源装置２５を靴本体部１１の外側に設け、靴本体部１１と分離可能に構成してもよい。上記空調ユニット２０、制御ユニット２１、電源装置２５を一体に構成し、靴本体部１１と分離可能に構成してもよい。
【０２０８】
また、操作盤３２を靴本体部１１と分離して構成し、操作盤３２と制御ユニット２１との間を無線通信させ、電源装置２５から電気が供給された制御ユニット２１によって、送風機２７、ペルチェ素子３４、ヒータ３８を作動させてもよい。なお、第１３実施形態に示した各構成は、第１実施形態の靴にのみ適用されるものではなく、第２実施形態〜第１２実施形態にも適用される。
【０２０９】
（第１４実施形態）
図２７、図２８に示すように、空気流通路の途中、または開口部において空気を遮蔽するシャッターを設けてもよい。以下、第１実施形態を例に、具体的に説明する。
【０２１０】
図２７に示すように、軸径方向の断面が円状のシャフト４７の一端側に、ソレノイド４８が配置されている。ソレノイド４８は表面が絶縁された銅線４８ａを、芯材４８ｂに巻回したもので、通電すると磁力を発生する。銅線４８ａはカバー４９によって保護されている。
【０２１１】
また、ソレノイド４８と相対する位置には、上記シャフト４７の軸線方向に摺動する鉄製の可動部材５０が設けられている。上記ソレノイド４８と、上記可動部材５０との間には、スプリング５１が付設されている。ソレノイド４８が通電されないときは、スプリング５１によってソレノイド４８と可動部材５０との間に隙間が形成される。
【０２１２】
そして、ソレノイド４８が通電されると、図２８に示すように、可動部材５０がソレノイド４８の磁力によってスプリング５１の反発力に打ち勝ち、ソレノイド４８の方向に移動する。上記可動部材５０にはシャッター５２が取り付けられており、ソレノイド４８の方向に移動した際に空気流通路１０１を遮蔽することができる。
【０２１３】
上記シャフト４７、ソレノイド４８、カバー４９、可動部材５０、スプリング５１、シャッター５２は、本発明の遮蔽手段を構成する。
【０２１４】
上記構成によれば、空気流通路１０１を遮蔽することができるので、外部から空気流通路１０１を経由して靴内部空間に水が入りにくくすることができる。
【０２１５】
（第１５実施形態）
また、第１実施形態〜第１３実施形態では、送風手段に送風機を用いたが、ポンプでもよい。また、圧電ファンを用いてもよい。
【０２１６】
（第１６実施形態）
第１実施形態では、冷却手段にペルチェ素子３４を用い、加熱手段にヒータ３８を用いたが、冷却手段と加熱手段の両方にペルチェ素子を用いてもよい。その場合、第１実施形態と同様に、ペルチェ素子の排熱手段たる熱交換部２２ｆ、穴部２２ｇを備えるように構成する。
【０２１７】
（第１７実施形態）
第１実施形態〜第１６実施形態では、ペルチェ素子またはヒータを１つの空気流通路内の空気を冷却、または加熱するように配置したが、図２９、図３０に示すように、空気流通路を、冷却側と加熱側に分けてもよい。
【０２１８】
そこで、第１７実施形態では、ペルチェ素子３４、ペルチェ素子３５の両側熱交換面のうち、加熱側の熱交換面を加熱側熱交換面３４ｃ、３５ｃ、冷却側の熱交換面を冷却側熱交換面３４ｄ、３５ｄと定義して、以下、具体的に説明する。
【０２１９】
空調ユニット本体部２２には、送風路２２ｍが形成されており、この送風路２２ｍの靴先端部１１ｂ側には第１開口部２２ｂが、靴後端部１１ｃ側には第２開口部２２ｃが、それぞれ形成されている。上記送風路２２ｍは、送風機２７の空気流れ下流側において、送風機２７が送風した空気をバイパスするようになっている。
【０２２０】
上述の送風路２２ｍのうち、アウトソール１４側の送風路を冷却側空気送風路２２ｎ、挿入口１１ａ側の空気流通路を加熱側空気送風路２２ｐと称するものとすると、冷却側空気送風路２２ｎと加熱側空気送風路２２ｐの間には、空調器２３が配置されている。
【０２２１】
上記空調器２３には、ペルチェ素子３４、３５が配置されており、上記ペルチェ素子３４、３５の冷却側熱交換面３４ｄ、３５ｄが冷却側空気送風路２２ｎ側に、加熱側熱交換面３４ｃ、３５ｃが加熱側空気送風路２２ｐ側になるように保持されている。上記加熱側熱交換面３４ｃ、３５ｃ、冷却側熱交換面３４ｄ、３５ｄには熱交換器５３が設けられている。
【０２２２】
したがって、ペルチェ素子３４、３５が作動すると、冷却側空気送風路２２ｎの空気が冷却され、加熱側空気送風路２２ｐが加熱される。そして、冷却された冷却側空気送風路２２ｎの空気と、加熱された加熱側空気送風路２２ｐの空気は、第１開口部２２ｂの手前で合流し、靴内部空間１１ｄに送風される。
【０２２３】
ところで、第１開口部２２ｂの手前には、冷却された冷却側空気送風路２２ｎの空気と、加熱された加熱側空気送風路２２ｐの空気とを混合するエアミックスドア５４を備えており、図示しないモータが作動すると、支点５４ａを中心にして回転するようになっている。その際の角度Ａは、靴内部温度Ｔ１が設定温度ＴＳになるように、適宜、自動調整される。
【０２２４】
なお、図２９に示すように、制御ユニット２１、電源装置２５が、金属製の支持板５５に取り付けられている。この支持板５５は、空調ユニット本体部２２に、図示しないねじによって固定されており、アウトソール１４側に、空調ユニット本体部２２の第２開口部２２ｃと外気とを連通する連通路５５ａが形成されている。なお、連通路５５ａのうち、外気側の開口部を外気開口部５５ｂ、上記外気開口部５５ｂから靴内開口部１６ｊに至る経路を空気流通路１０５と称するものとする。
【０２２５】
上記構成のように、空気流通路を冷却側と加熱側にバイパスし、その後、冷却された空気と、加熱された空気を混合するようにしてもよい。
【０２２６】
（その他の実施形態）
空気流通路の構成は、上記実施形態によるものに限らない。例えば、アッパー１３のうち、足２００の甲部２００ｂ、つま先部２００ｃ、かかと部２００ｄに相対する部位に、靴内部空間１１ｄと、外気とを連通する連通路を設けてもよい。なお、配風溝１８ｃは、図３２に示すように、挿入口１１ａ手前まで形成されている場合、図示はしないが、配風溝１８ｃと外気を連通する連通孔を形成することにより、配風溝１８ｃが挿入口１１ａまで形成されている場合と同様の効果が期待できる。
【０２２７】
また、第１実施形態では、設定温度ＴＳは、手動入力するようにしたが、制御回路２９ａに予めプログラミングされていてもよい。
【０２２８】
また、図示はしないが、熱交換部２２ｆを強制的に空冷する空冷手段、または水冷する水冷手段を設けてもよい。
【０２２９】
また、第１実施形態、第２実施形態、第３実施形態、第６実施形態、第１２実施形態、第１３実施形態の空調ユニット本体部２２の水平部位２２ｄのうち、空調器２３付近に、第１７実施形態に示した熱交換器５３と同様の熱交換器を設けてもよい。
【０２３０】
また、本発明の空気冷却手段、空気加熱手段に、熱媒体を利用した冷凍サイクルを用い、運転する過程で発生する冷熱、温熱を用いてもよい。
【図面の簡単な説明】
【０２３１】
【図１】本発明の第１実施形態による空調靴の断面正面図である。
【図２】図１の空調靴の空気流通路を説明する一部断面平面図である。
【図３】本発明の第１実施形態による足底板の断面図である。
【図４】図１の空調靴を足底板上方から見た平面図である。
【図５】本発明の第１実施形態による空調ユニットの正面断面図である。
【図６】図５の平面断面図である。
【図７】本発明の第１実施形態による空調器の断面正面図である。
【図８】本発明の第１実施形態による制御ブロック図である。
【図９】本発明の第１実施形態による操作盤の正面図である。
【図１０】本発明の第２実施形態による空調靴の断面正面図である。
【図１１】図１０の空調靴の空気流通路を説明する一部断面平面図である。
【図１２】本発明の第２、第３実施形態による足底板の断面図である。
【図１３】本発明の第２、第３実施形態による空調靴を足底板上方から見た平面図である。
【図１４】本発明の第２実施形態による空調ユニットの正面断面図である。
【図１５】図１４の平面断面図である。
【図１６】本発明の第３実施形態による空調靴の断面正面図である。
【図１７】本発明の第３実施形態による空調ユニットの正面断面図である。
【図１８】本発明の第４実施形態による空調器の断面正面図である。
【図１９】本発明の第４実施形態による制御ブロック図である。
【図２０】本発明の第５実施形態による空調器の断面正面図である。
【図２１】本発明の第５実施形態による制御ブロック図である。
【図２２】本発明の第６実施形態による空調靴の断面正面図である。
【図２３】本発明の第９実施形態による操作盤の正面図である。
【図２４】本発明の第１１実施形態による回路の説明図である。
【図２５】本発明の第１２実施形態による空調靴の断面正面図である。
【図２６】本発明の第１３実施形態による空調靴の断面正面図である。
【図２７】本発明の第１４実施形態によるシャッターの断面正面図である。
【図２８】図２７のシャッターが遮蔽した際の断面正面図である。
【図２９】本発明の第１７実施形態による空調靴の断面正面図である。
【図３０】本発明の第１７実施形態による空調ユニットの正面断面図である。
【図３１】配風溝１８ｃの形状を説明する第１の説明図である。
【図３２】配風溝１８ｃの形状を説明する第２の説明図である。
【符号の説明】
【０２３２】
１１…靴本体部
１１ａ…挿入口
１１ｂ…靴先端部
１１ｃ…靴後端部
１１ｄ…靴内部空間
１１ｅ…足先部空間
１２…底部
１３…アッパー
１４…アウトソール
１４ａ…連通路
１４ｂ…外気開口部
１４ｃ…外気開口部（第１の外気開口部）
１５…ミッドソール
１５ａ…上面
１５ｂ…溝部
１５ｃ…連通路
１５ｄ…連通路
１５ｅ…外気開口部（第２の外気開口部）
１６…足底板
１６ａ…下面
１６ｂ…開口部
１６ｃ…開口部
１６ｄ…上面
１６ｅ…配風溝
１６ｆ…連通穴
１６ｇ…連通穴
１６ｈ…隙間
１６ｉ…（欠番）
１６ｊ…靴内開口部
１６ｋ…靴内開口部（第１の靴内開口部）
１６ｎ…靴内開口部（第１の靴内開口部）
１６ｌ…（欠番）
１６ｍ、１６ｐ…靴内開口部（第２の靴内開口部）
１６ｏ…（欠番）
１７…表革
１８…裏革
１８ａ…裏革表面
１８ｂ…突出部
１８ｃ…配風溝
１８ｄ…隙間
１９…空調装置
２０…空調ユニット
２１…制御ユニット
２２…空調ユニット本体部
２２ａ…送風路
２２ｂ…第１開口部
２２ｃ…第２開口部
２２ｄ…水平部位
２２ｅ…収納室
２２ｆ…熱交換部（排熱手段）
２２ｇ…穴部
２２ｈ…送風路
２２ｉ…（欠番）
２２ｊ…第３開口部
２２ｋ…第４開口部
２２ｌ…（欠番）
２２ｍ…送風路
２２ｎ…冷却側空気送風路
２２ｏ…（欠番）
２２ｐ…加熱側空気送風路
２３…空調器
２４…（欠番）
２５…電源装置
２５ａ…電池
２５ｂ…安全装置
２６…フタ部
２７…送風機（送風手段）
２８…制御部本体部
２９…制御基板
２９ａ…制御回路（制御手段）
３０…温度センサ（温度検出手段）
３１…センサボックス
３２…操作盤
３２ａ…操作部
３２ｂ…表示部
３３…（欠番）
３４…ペルチェ素子（空気冷却手段、熱伝達手段）
３５…ペルチェ素子（空気冷却手段、熱伝達手段）
３４ａ…送風路側熱交換面
３５ａ…送風路側熱交換面
３４ｂ…熱交換部側熱交換面
３５ｂ…熱交換部側熱交換面
３４ｃ…加熱側熱交換面
３５ｃ…加熱側熱交換面
３４ｄ…冷却側熱交換面
３５ｄ…冷却側熱交換面
３６…（欠番）
３７…（欠番）
３８…ヒータ（空気加熱手段、熱伝達手段）
３９…ヒータ（空気加熱手段、熱伝達手段）
４０…保持器
４１…クッション部材
４２…防水シール
４３…押え金具
４４…外気温度検出センサ（外気温度検出手段）
４５…サーモスタッド（開閉スイッチ）
４６…外気開口部
４７…シャフト
４８…ソレノイド
４８ａ…銅線
４９ｂ…芯材
５０…可動部材
５１…スプリング
５２…シャッター
５３…熱交換器
５４…エアミックスドア
５４ａ…支点
５５…支持板
５５ａ…連通路
５５ｂ…外気開口部
１００…空調靴
１０１…空気流通路
１０２…靴内側表面
１０３…空気流通路
１０４…空気流通路（第２の空気流通路）
１０５…空気流通路
２００…足
２００ａ…足裏部
２００ｂ…甲部
２００ｃ…つま先部
２００ｄ…かかと部
A…角度
ＣＣ…冷却回路（回路）
ＣＨ…加熱回路（回路）
ＤＰ１…設定温度表示画面（所定温度表示手段）
ＤＰ２…靴内部温度表示画面（靴内部温度表示手段）
ＬＰ１…自動ランプ
ＬＰ２…手動ランプ
ＬＰ３…冷却表示ランプ
ＬＰ４…加熱表示ランプ
ＬＰ５…運転中表示ランプ
ＬＰ６…バッテリ表示ランプ
ＬＰ７…送風ランプ
ＬＰ８…排気ランプ
ＬＰ９…除湿ランプ
Ｍ１…自動冷却／加熱モード
Ｍ２…自動冷却モード
Ｍ３…手動冷却モード
Ｍ４…自動加熱モード
Ｍ５…手動加熱モード
Ｍ６…送風モード
Ｍ７…排気モード
Ｍ８…除湿モード
Ｍ１１…自動冷却モード
Ｍ１２…手動冷却モード
Ｍ２１…自動加熱モード
Ｍ２２…手動加熱モード
ＳＷ１…入／切スイッチ
ＳＷ２…風量切換スイッチ
ＳＷ３…モード選択スイッチ（切換手段）
ＳＷ４…温度＋スイッチ（入力手段）
ＳＷ５…温度−スイッチ（入力手段）
Ｔ１…靴内部温度
Ｔ２…外気温度
ＴＳ…設定温度（所定の温度）
【図１】
2007300959.tif 000003
【図２】
2007300959.tif 000004
【図３】
2007300959.tif 000005
【図４】
2007300959.tif 000006
【図５】
2007300959.tif 000007
【図６】
2007300959.tif 000008
【図７】
2007300959.tif 000009
【図８】
2007300959.tif 000010
【図９】
2007300959.tif 000011
【図１０】
2007300959.tif 000012
【図１１】
2007300959.tif 000013
【図１２】
2007300959.tif 000014
【図１３】
2007300959.tif 000015
【図１４】
2007300959.tif 000016
【図１５】
2007300959.tif 000017
【図１６】
2007300959.tif 000018
【図１７】
2007300959.tif 000019
【図１８】
2007300959.tif 000020
【図１９】
2007300959.tif 000021
【図２０】
2007300959.tif 000022
【図２１】
2007300959.tif 000023
【図２２】
2007300959.tif 000024
【図２３】
2007300959.tif 000025
【図２４】
2007300959.tif 000026
【図２５】
2007300959.tif 000027
【図２６】
2007300959.tif 000028
【図２７】
2007300959.tif 000029
【図２８】
2007300959.tif 000030
【図２９】
2007300959.tif 000031
【図３０】
2007300959.tif 000032
【図３１】
2007300959.tif 000033
【図３２】
2007300959.tif 000034